(57)【特許請求の範囲】
【請求項１】
既設建造物の躯体の所定の据付箇所に据え付けられる据付基礎構造物において、
前記据付基礎構造物が、前記据付箇所に載置された中空の土台管と、前記土台管の底部に固定されて該底部から下方へ延びる底部枠材と、前記土台管および前記底部枠材の内側スペースに打設されたセメント硬化物と、前記土台管および前記底部枠材の外周面全域に設置された新設防水材とから形成され、
前記土台管が、互いに対向して上下方向へ延びる第１および第３側壁と、前記第１および第３側壁に略直交しつつ互いに対向して上下方向へ延びる第２および第４側壁と、前記第１〜第４側壁の頂部から径方向外方へ延びた後に上方へ延びる頂部分と、前記第１〜第４側壁の底部から径方向内方へ延びる底部分と、前記底部分および前記躯体に形成されたボルト孔に設置され、前記躯体に対する前記土台管の高さおよび傾きを調整しつつ該土台管を該躯体に固定する調整ボルトと、前記土台管に設置されて前記内側スペースに打設されたセメント硬化物の側圧による前記第１〜第４側壁の変形を防止する変形防止材とを有することを特徴とする据付基礎構造物。
【請求項２】
既設建造物の躯体の所定の据付箇所に据え付けられる据付基礎構造物において、
前記据付基礎構造物が、前記据付箇所に載置された中空の土台管と、前記土台管の底部に固定されて該底部から下方へ延びる底部枠材と、前記土台管の頂部から径方向外方へ延びた後に上方へ延びる頂部枠材と、前記土台管およびそれら枠材の内側スペースに打設されたセメント硬化物と、前記土台管および前記底部枠材の外周面全域に設置された新設防水材とから形成され、
前記土台管が、互いに対向して上下方向へ延びる第１および第３側壁と、前記第１および第３側壁に略直交しつつ互いに対向して上下方向へ延びる第２および第４側壁と、前記第１〜第４側壁の頂部から径方向外方へ延びていて前記頂部枠材を着脱可能に設置する頂部分と、前記第１〜第４側壁の底部から径方向内方へ延びる底部分と、前記底部分および前記躯体に形成されたボルト孔に設置され、前記躯体に対する前記土台管の高さおよび傾きを調整しつつ該土台管を該躯体に固定する調整ボルトと、前記土台管に設置されて前記内側スペースに打設されたセメント硬化物の側圧による前記第１〜第４側壁の変形を防止する変形防止材とを有し、前記頂部枠材が、前記セメント硬化物を養生した後に前記土台管の頂部から取り外されていることを特徴とする据付基礎構造物。
【請求項３】
前記頂部分が、前記第１側壁の頂部から径方向外方へ延びる第１頂部分と、前記第２側壁の頂部から径方向外方へ延びる第２頂部分と、前記第３側壁の頂部から径方向外方へ延びる第３頂部分と、前記第４側壁の頂部から径方向外方へ延びる第４頂部分とから形成され、前記頂部枠材が、前記第１側壁の頂部から径方向外方へ延びた後に上方へ延びていて前記第１頂部分に着脱可能に設置された第１頂部枠材と、前記第２側壁の頂部から径方向外方へ延びた後に上方へ延びていて前記第２頂部分に着脱可能に設置された第２頂部枠材と、前記第３側壁の頂部から径方向外方へ延びた後に上方へ延びていて前記第３頂部分に着脱可能に設置された第３頂部枠材と、前記第４側壁の頂部から径方向外方へ延びた後に上方へ延びていて前記第４頂部分に着脱可能に設置された第４頂部枠材とから形成されている請求項２に記載の据付基礎構造物。
【請求項４】
前記変形防止材が、前記土台管の中央部における前記第１および第３側壁の内壁面に固定されて該第１および第３側壁の間に延びていて、前記内側スペースに打設されたセメント硬化物の側圧による前記第１および第３側壁の変形を防止する第１変形防止材と、前記土台管の中央部における前記第２および第４側壁の内壁面に固定されて該第２および第４側壁の間に延びていて、前記内側スペースに打設されたセメント硬化物の側圧による前記第２および第４側壁の変形を防止する第２変形防止材とから形成されている請求項１ないし請求項３いずれかに記載の据付基礎構造物。
【請求項５】
前記第１変形防止材が、前記土台管の中央部における第１および第３側壁の内壁面に固定された第１長ナットと、前記中央部における第１および第３側壁の間に延びていて前記第１長ナットに螺着され、前記内側スペースにセメント硬化物を打設する前または該セメント硬化物を打設する過程において前記第１および第３側壁の離間寸法を微調整する第１幅止めボルトとから形成され、前記第２変形防止材が、前記土台管の中央部における第２および第４側壁の内壁面に固定された第２長ナットと、前記中央部における第２および第４側壁の間に延びていて前記第２長ナットに螺着され、前記内側スペースにセメント硬化物を打設する前または該セメント硬化物を打設する過程において前記第２および第４側壁の離間寸法を微調整する第２幅止めボルトとから形成されている請求項４に記載の据付基礎構造物。
【請求項６】
前記変形防止材が、前記土台管の頂部における前記第１および第３側壁の内壁面に固定されて該第１および第３側壁の間に延びていて、前記内側スペースに打設されたセメント硬化物の側圧による前記第１および第３側壁の変形を防止する第３変形防止材と、前記土台管の頂部における前記第２および第４側壁の内壁面に固定されて該第２および第４側壁の間に延びていて、前記内側スペースに打設されたセメント硬化物の側圧による前記第２および第４側壁の変形を防止する第４変形防止材とから形成されている請求項１ないし請求項５いずれかに記載の据付基礎構造物。
【請求項７】
前記第３変形防止材が、前記土台管の頂部における第１および第３側壁の内壁面に固定された第３長ナットと、前記頂部における第１および第３側壁の間に延びていて前記第３長ナットに螺着され、前記内側スペースにセメント硬化物を打設する前または該セメント硬化物を打設する過程において前記第１および第３側壁の離間寸法を微調整する第３幅止めボルトとから形成され、前記第４変形防止材が、前記土台管の頂部における第２および第４側壁の内壁面に固定された第４長ナットと、前記頂部における第２および第４側壁の間に延びていて前記第４長ナットに螺着され、前記内側スペースにセメント硬化物を打設する前または該セメント硬化物を打設する過程において前記第２および第４側壁の離間寸法を微調整する第４幅止めボルトとから形成されている請求項６に記載の据付基礎構造物。
【請求項８】
前記底部枠材が、前記第１側壁の底部に固定されて該第１側壁と前記躯体との間の間隙を塞ぐ第１底部枠材と、前記第２側壁の底部に固定されて該第２側壁と前記躯体との間の間隙を塞ぐ第２底部枠材と、前記第３側壁の底部に固定されて該第３側壁と前記躯体との間の間隙を塞ぐ第３底部枠材と、前記第４側壁の底部に固定されて該第４側壁と前記躯体との間の間隙を塞ぐ第４底部枠材とから形成されている請求項１ないし請求項７いずれかに記載の据付基礎構造物。
【請求項９】
前記底部分が、前記第１側壁の底部から径方向内方へ延びる第１底部分と、前記第２側壁の底部から径方向内方へ延びる第２底部分と、前記第３側壁の底部から径方向内方へ延びる第３底部分と、前記第４側壁の底部から径方向内方へ延びる第４底部分とから形成され、前記調整ボルトが、前記第１底部分に形成されたボルト孔に設置された第１調整ボルトと、前記第２底部分に形成されたボルト孔に設置された第２調整ボルトと、前記第３底部分に形成されたボルト孔に設置された第３調整ボルトと、前記第４底部分に形成されたボルト孔に設置された第４調整ボルトとから形成されている請求項１ないし請求項８いずれかに記載の据付基礎構造物。
【請求項１０】
前記据付基礎構造物が、前記セメント硬化物から上方へ露出する螺子上部と該セメント硬化物に固定された螺子下部とを有する支持ボルトと、前記土台管の頂部分または前記頂部枠材の上に設置され、前記支持ボルトを前記セメント硬化物に設置するために利用されるスペーサと、前記スペーサの上に設置されて前記支持ボルトが挿脱可能に設置され、該支持ボルトを前記セメント硬化物に設置するために利用されるボルト位置決め部材とを含む請求項１ないし請求項９いずれかに記載の据付基礎構造物。
【請求項１１】
前記据付基礎構造物では、前記新設防水材が前記底部枠材から径方向に延長され、前記底部枠材の周囲に位置する前記躯体が前記新設防水材に被覆されている請求項１ないし請求項１０いずれかに記載の据付基礎構造物。
【発明の詳細な説明】
【技術分野】
【０００１】
本発明は、据付基礎構造物に関し、さらに詳細には、既設建造物にソーラーパネルやアンテナ、貯水槽、浄化槽、空調機器等の重量のある機械器具、鉄塔や鉄骨柱、鉄骨建設物等の重量のある建築物の設置に使用する据付基礎構造物に関する。
【背景技術】
【０００２】
既設建造物では、その屋上にソーラーパネルやアンテナ、貯水槽、浄化槽、空調機器等の重量のある機械器具、鉄塔や鉄骨柱、鉄骨建設物等の重量のある建築物を備え付ける場合がある。通常、そのような機械器具や建築物は、その内部への水の侵入を防ぐ目的、機械器具や建築物の背面側のメンテナンスを可能にする目的からそれらが既設建造物の躯体に直に設置されることはなく、それらが躯体に据え付けられた据付基礎の上に備え付けられる。
【０００３】
そのような据付基礎の一例として、特許文献１は、太陽電池パネル据え付け構造を開示している。特許文献１では、その従来技術として、太陽電池パネルの施工現場の据付箇所において型枠を組み上げ、その型枠内にコンクリートを打設・養生することにより基礎を作り、搬送されてきた太陽電池パネルおよびその架台をその基礎の上に備え付ける据付構造を紹介している。そのような従来技術の据付構造では、施工現場で型枠を組み上げなければならず、さらに、コンクリートの養生期間の経過後に型枠を解体しなければならないから、その分の手間と時間とがかかることはもちろん、型枠内に流し込んだコンクリートの養生に時間がかかり、短い工期で据付構造を作ることができない。
【０００４】
かかる従来技術の問題点を解決するために、特許文献１に開示の太陽電池パネル据付構造では、太陽電池パネルを設置した架台をコンクリート製または鉄筋コンクリート製の基礎に取り付けた据付構造物を製造工場においてあらかじめ製造し、その据付構造物をビルの屋上や地下の施工現場に搬送する。その後、屋上や地下の据付箇所に薄いセメント層を形成し、そのセメント層を接着層としてその上に基礎を載せて据付箇所と一体化する。特許文献１に開示された太陽電池パネル据え付け構造は、太陽電池パネルを備え付けるための基礎を作る際に施工現場において型枠を組み上げる必要や型枠を解体する必要がないから、その分の手間と時間とが省け、施工現場における施工作業を簡略化することができるとともに、コンクリートを養生する時間を省くことができ、その分の工期を短縮することができる。
【先行技術文献】
【特許文献】
【０００５】
【特許文献１】特開平９−０７０１８８号公報
【発明の概要】
【発明が解決しようとする課題】
【０００６】
前記特許文献１に開示の太陽電池パネル据付構造では、施工現場においてコンクリートを養生する必要はないが、製造工場においてコンクリートを養生して基礎を作らなければならず、基礎の製造にコンクリートの養生が必要であることに変わりはなく、基礎の製造に時間を要する。さらに、製造した据付構造物を工場から施工現場に搬送する必要があり、相当な重量を有する据付構造物を搬送する手間や時間、輸送コストを要するから、据付構造物を施工する労力やコストを低減することができない。また、工場で製造された据付構造物を屋上や地下の据付箇所に設置する場合、コンクリート層を接着層として据付箇所に固定する方法や凹部を据付箇所に形成して基礎の下端をその凹部に嵌め込む方法しか採用できず、据付構造物を据付箇所に強固に据え付けることができない。
【０００７】
本発明の目的は、設置に要する労力やコストを低減することができるとともに、工期を短縮することができる据付基礎構造物を提供することにある。本発明の他の目的は、既設建造物の躯体の所定の据付箇所に強固に据え付けることができ、ソーラーパネルやアンテナ、貯水槽、浄化槽、空調機器等の重量のある機械器具、鉄塔や鉄骨柱、鉄骨建設物等の重量のある建築物を確実に支持することができる頑丈な据付基礎構造物を提供することにある。
【課題を解決するための手段】
【０００８】
前記課題を解決するための本発明の前提は、既設建造物の躯体の所定の据付箇所に据え付けられる据付基礎構造物である。
【０００９】
前記前提における本発明の第１の特徴は、据付基礎構造物が、据付箇所に載置された中空の土台管と、土台管の底部に固定されて底部から下方へ延びる底部枠材と、土台管および底部枠材の内側スペースに打設されたセメント硬化物と、土台管および底部枠材の外周面全域に設置された新設防水材とから形成され、土台管が、互いに対向して上下方向へ延びる第１および第３側壁と、第１および第３側壁に略直交しつつ互いに対向して上下方向へ延びる第２および第４側壁と、第１〜第４側壁の頂部から径方向外方へ延びた後に上方へ延びる頂部分と、第１〜第４側壁の底部から径方向内方へ延びる底部分と、底部分および躯体に形成されたボルト孔に設置され、躯体に対する土台管の高さおよび傾きを調整しつつ土台管を躯体に固定する調整ボルトと、土台管に設置されて内側スペースに打設されたセメント硬化物の側圧による第１〜第４側壁の変形を防止する変形防止材とを有することにある。
【００１０】
前記前提における本発明の第２の特徴は、据付基礎構造物が、据付箇所に載置された中空の土台管と、土台管の底部に固定されて底部から下方へ延びる底部枠材と、土台管の頂部から径方向外方へ延びた後に上方へ延びる頂部枠材と、土台管およびそれら枠材の内側スペースに打設されたセメント硬化物と、土台管および底部枠材の外周面全域に設置された新設防水材とから形成され、土台管が、互いに対向して上下方向へ延びる第１および第３側壁と、第１および第３側壁に略直交しつつ互いに対向して上下方向へ延びる第２および第４側壁と、第１〜第４側壁の頂部から径方向外方へ延びていて頂部枠材を着脱可能に設置する頂部分と、第１〜第４側壁の底部から径方向内方へ延びる底部分と、底部分および躯体に形成されたボルト孔に設置され、躯体に対する土台管の高さおよび傾きを調整しつつ土台管を躯体に固定する調整ボルトと、土台管に設置されて内側スペースに打設されたセメント硬化物の側圧による第１〜第４側壁の変形を防止する変形防止材とを有し、頂部枠材がセメント硬化物を養生した後に土台管の頂部から取り外されていることにある。
【００１１】
前記第２の特徴を有する本発明の一例としては、頂部分が、第１側壁の頂部から径方向外方へ延びる第１頂部分と、第２側壁の頂部から径方向外方へ延びる第２頂部分と、第３側壁の頂部から径方向外方へ延びる第３頂部分と、第４側壁の頂部から径方向外方へ延びる第４頂部分とから形成され、頂部枠材が、第１側壁の頂部から径方向外方へ延びた後に上方へ延びていて第１頂部分に着脱可能に設置された第１頂部枠材と、第２側壁の頂部から径方向外方へ延びた後に上方へ延びていて第２頂部分に着脱可能に設置された第２頂部枠材と、第３側壁の頂部から径方向外方へ延びた後に上方へ延びていて第３頂部分に着脱可能に設置された第３頂部枠材と、第４側壁の頂部から径方向外方へ延びた後に上方へ延びていて第４頂部分に着脱可能に設置された第４頂部枠材とから形成されている。
【００１２】
前記第１および第２の特徴を有する本発明の一例としては、変形防止材が、土台管の中央部における第１および第３側壁の内壁面に固定されて第１および第３側壁の間に延びていて、内側スペースに打設されたセメント硬化物の側圧による第１および第３側壁の変形を防止する第１変形防止材と、土台管の中央部における第２および第４側壁の内壁面に固定されて該第２および第４側壁の間に延びていて、内側スペースに打設されたセメント硬化物の側圧による第２および第４側壁の変形を防止する第２変形防止材とから形成されている。
【００１３】
前記第１および第２の特徴を有する本発明の他の一例としては、第１変形防止材が、土台管の中央部における第１および第３側壁の内壁面に固定された第１長ナットと、中央部における第１および第３側壁の間に延びていて第１長ナットに螺着され、内側スペースにセメント硬化物を打設する前またはセメント硬化物を打設する過程において第１および第３側壁の離間寸法を微調整する第１幅止めボルトとから形成され、第２変形防止材が、土台管の中央部における第２および第４側壁の内壁面に固定された第２長ナットと、中央部における第２および第４側壁の間に延びていて第２長ナットに螺着され、内側スペースにセメント硬化物を打設する前またはセメント硬化物を打設する過程において第２および第４側壁の離間寸法を微調整する第２幅止めボルトとから形成されている。
【００１４】
前記第１および第２の特徴を有する本発明の他の一例としては、変形防止材が、土台管の頂部における第１および第３側壁の内壁面に固定されて第１および第３側壁の間に延びていて、内側スペースに打設されたセメント硬化物の側圧による第１および第３側壁の変形を防止する第３変形防止材と、土台管の頂部における第２および第４側壁の内壁面に固定されて第２および第４側壁の間に延びていて、内側スペースに打設されたセメント硬化物の側圧による第２および第４側壁の変形を防止する第４変形防止材とから形成されている。
【００１５】
前記第１および第２の特徴を有する本発明の他の一例としては、第３変形防止材が、土台管の頂部における第１および第３側壁の内壁面に固定された第３長ナットと、頂部における第１および第３側壁の間に延びていて第３長ナットに螺着され、内側スペースにセメント硬化物を打設する前またはセメント硬化物を打設する過程において第１および第３側壁の離間寸法を微調整する第３幅止めボルトとから形成され、第４変形防止材が、土台管の頂部における第２および第４側壁の内壁面に固定された第４長ナットと、頂部における第２および第４側壁の間に延びていて第４長ナットに螺着され、内側スペースにセメント硬化物を打設する前またはセメント硬化物を打設する過程において第２および第４側壁の離間寸法を微調整する第４幅止めボルトとから形成されている。
【００１６】
前記第１および第２の特徴を有する本発明の他の一例としては、底部枠材が、第１側壁の底部に固定されて第１側壁と躯体との間の間隙を塞ぐ第１底部枠材と、第２側壁の底部に固定されて第２側壁と躯体との間の間隙を塞ぐ第２底部枠材と、第３側壁の底部に固定されて第３側壁と躯体との間の間隙を塞ぐ第３底部枠材と、第４側壁の底部に固定されて第４側壁と躯体との間の間隙を塞ぐ第４底部枠材とから形成されている。
【００１７】
前記第１および第２の特徴を有する本発明の他の一例としては、底部分が、第１側壁の底部から径方向内方へ延びる第１底部分と、第２側壁の底部から径方向内方へ延びる第２底部分と、第３側壁の底部から径方向内方へ延びる第３底部分と、第４側壁の底部から径方向内方へ延びる第４底部分とから形成され、調整ボルトが、第１底部分に形成されたボルト孔に設置された第１調整ボルトと、第２底部分に形成されたボルト孔に設置された第２調整ボルトと、第３底部分に形成されたボルト孔に設置された第３調整ボルトと、第４底部分に形成されたボルト孔に設置された第４調整ボルトとから形成されている。
【００１８】
前記第１および第２の特徴を有する本発明の他の一例としては、据付基礎構造物が、セメント硬化物から上方へ露出する螺子上部とセメント硬化物に固定された螺子下部とを有する支持ボルトと、土台管の頂部分または頂部枠材の上に設置され、支持ボルトをセメント硬化物に設置するために利用されるスペーサと、スペーサの上に設置されて支持ボルトが挿脱可能に設置され、支持ボルトをセメント硬化物に設置するために利用されるボルト位置決め部材とを含む。
【００１９】
前記第１および第２の特徴を有する本発明の他の一例としては、新設防水材が底部枠材から径方向に延長され、底部枠材の周囲に位置する躯体が新設防水材に被覆されている。
【発明の効果】
【００２０】
前記第１の特徴を有する本発明の据付基礎構造物によれば、それが土台管と底部枠材と新設防水材とセメント硬化物とから形成され、土台管や底部枠材が製造工場においてあらかじめ製造されて汎用部品化（規格化）されており、既設建造物の躯体の据付箇所においてユニットとして組み立てられるから、据付基礎構造物を据え付ける際にその現場において型枠を組み上げる必要や型枠を解体する必要はなく、据付箇所に土台管を設置しつつ土台管に底部枠材を設置し、内側スペースにセメント硬化物を打設するだけで据付基礎構造物を据え付けることができ、型枠の組立や型枠の解体にかかる手間や時間、コストを省くことができる。据付基礎構造物は、それの据付作業を簡略化することができるのみならず、セメント硬化物の養生期間を待つことなく新設防水材の設置作業が完了し、セメント硬化物の養生期間を待つことなく据付基礎構造物の据付作業が完了するから、据付基礎構造物の据付時間にセメント硬化物の養生期間が入らず、据付箇所に複数の据付基礎構造物を迅速に据え付けることができ、工期を大幅に短縮することができる。据付基礎構造物は、それの工期を大幅に短縮することができ、据付基礎構造物の構築にかかる人件費を大幅に低減することができるから、据付基礎構造物の据付にかかるコストを低下させることができ、据付基礎構造物を廉価に構築することができる。据付基礎構造物は、施工現場の据付箇所において型枠を組み上げる必要はなく、マニュアル化された手順に従ってそれを組み立てることができるから、型枠工の技術がない作業者でも据付基礎構造物を容易に構築することができる。据付基礎構造物は、底部分に形成されたボルト孔と躯体に形成されたボルト孔とに調整ボルトが設置され、調整ボルトによって土台管が躯体に固定されるとともに、セメント硬化物の養生期間が経過した後に調整ボルトがセメント硬化物と一体になり、据付基礎構造物にかかる荷重を調整ボルトとセメント硬化物とで分担するから、既設建造物の躯体の所定の据付箇所に強固に据え付けることができ、ソーラーパネルやアンテナ、貯水槽、浄化槽、空調機器等の重量のある機械器具、鉄塔や鉄骨柱、鉄骨建設物等の重量のある建築物を確実に支持することができる。据付基礎構造物は、内側スペースに打設されたセメント硬化物の側圧が第１〜第４側壁に作用したとしても、土台管に設置された変形防止材がセメント硬化物の側圧による第１〜第４側壁の変形を防止するから、第１〜第４側壁が変形した形状が歪な据付基礎構造物が作られることはなく、据付箇所に構造計算された設計どおりの据付基礎構造物を構築することができる。据付基礎構造物は、躯体に対する土台管の高さおよび傾きを調整ボルトによって調整することができるから、据付箇所が傾斜していてとしても、据付箇所に対して土台管を水平に設置することができるとともに、複数個の据付基礎構造物を設置する場合にそれら据付基礎構造物どうしの高さ寸法を容易に調節することができ、それら据付基礎構造物の高さ寸法を均一に揃えることができる。
【００２１】
前記第２の特徴を有する本発明の据付基礎構造物によれば、それが土台管と底部枠材と頂部枠材と新設防水材とセメント硬化物とから形成され、土台管や底部枠材、頂部枠材が製造工場においてあらかじめ製造されて汎用部品化（規格化）されており、既設建造物の躯体の据付箇所においてユニットとして組み立てられるから、据付基礎構造物を据え付ける際にその現場において型枠を組み上げる必要や型枠を解体する必要はなく、据付箇所に土台管を設置しつつ土台管に底部枠材や頂部枠材を設置し、内側スペースにセメント硬化物を打設するだけで据付基礎構造物を据え付けることができ、型枠の組立や型枠の解体にかかる手間や時間、コストを省くことができる。据付基礎構造物は、それの据付作業を簡略化することができるのみならず、セメント硬化物の養生期間を待つことなく新設防水材の設置作業が完了し、セメント硬化物の養生期間を待つことなく据付基礎構造物の据付作業が完了するから、据付基礎構造物の据付時間にセメント硬化物の養生期間が入らず、据付箇所に複数の据付基礎構造物を迅速に据え付けることができ、工期を大幅に短縮することができる。据付基礎構造物は、それの工期を大幅に短縮することができ、据付基礎構造物の構築にかかる人件費を大幅に低減することができるから、据付基礎構造物の据付にかかるコストを低下させることができ、据付基礎構造物を廉価に構築することができる。据付基礎構造物は、施工現場の据付箇所において型枠を組み上げる必要はなく、マニュアル化された手順に従ってそれを組み立てることができるから、型枠工の技術がない作業者でも据付基礎構造物を容易に構築することができる。据付基礎構造物は、底部分に形成されたボルト孔と躯体に形成されたボルト孔とに調整ボルトが設置され、調整ボルトによって土台管が躯体に固定されるとともに、セメント硬化物の養生期間が経過した後に調整ボルトがセメント硬化物と一体になり、据付基礎構造物にかかる荷重を調整ボルトとセメント硬化物とで分担するから、既設建造物の躯体の所定の据付箇所に強固に据え付けることができ、ソーラーパネルやアンテナ、貯水槽、浄化槽、空調機器等の重量のある機械器具、鉄塔や鉄骨柱、鉄骨建設物等の重量のある建築物を確実に支持することができる。据付基礎構造物は、内側スペースに打設されたセメント硬化物の側圧が第１〜第４側壁に作用したとしても、土台管に設置された変形防止材がセメント硬化物の側圧による第１〜第４側壁の変形を防止するから、第１〜第４側壁が変形した形状が歪な据付基礎構造物が作られることはなく、据付箇所に構造計算された設計どおりの据付基礎構造物を構築することができる。据付基礎構造物は、躯体に対する土台管の高さおよび傾きを調整ボルトによって調整することができるから、据付箇所が傾斜していてとしても、据付箇所に対して土台管を水平に設置することができるとともに、複数個の据付基礎構造物を設置する場合にそれら据付基礎構造物どうしの高さ寸法を容易に調節することができ、それら据付基礎構造物の高さ寸法を均一に揃えることができる。
【００２２】
変形防止材が土台管の中央部における第１および第３側壁の内壁面に固定されて第１および第３側壁の間に延びていて内側スペースに打設されたセメント硬化物の側圧による第１および第３側壁の変形を防止する第１変形防止材と土台管の中央部における第２および第４側壁の内壁面に固定されて第２および第４側壁の間に延びていて内側スペースに打設されたセメント硬化物の側圧による第２および第４側壁の変形を防止する第２変形防止材とから形成されている据付基礎構造物は、第１変形防止材が内側スペースに打設されたセメント硬化物の側圧による第１および第３側壁の変形を防止し、第２変形防止材が内側スペースに打設されたセメント硬化物の側圧による第２および第４側壁の変形を防止するから、内側スペースに打設されたセメント硬化物の側圧が第１〜第４側壁に作用したとしても、第１〜第４側壁が不用意に変形することはなく、第１〜第４側壁が変形した形状が歪な据付基礎構造物が作られることはなく、据付箇所に構造計算された設計どおりの据付基礎構造物を構築することができる。
【００２３】
第１変形防止材が土台管の中央部における第１および第３側壁の内壁面に固定された第１長ナットと中央部における第１および第３側壁の間に延びていて第１長ナットに螺着され、内側スペースにセメント硬化物を打設する前またはセメント硬化物を打設する過程において第１および第３側壁の離間寸法を微調整する第１幅止めボルトとから形成され、第２変形防止材が土台管の中央部における第２および第４側壁の内壁面に固定された第２長ナットと中央部における第２および第４側壁の間に延びていて第２長ナットに螺着され、内側スペースにセメント硬化物を打設する前またはセメント硬化物を打設する過程において第２および第４側壁の離間寸法を微調整する第２幅止めボルトとから形成されている据付基礎構造物は、第１長ナットと第１幅止めボルトとから形成された第１変形防止材が内側スペースに打設されたセメント硬化物の側圧による第１および第３側壁の変形を防止し、第２長ナットと第２幅止めボルトとから形成された第２変形防止材が内側スペースに打設されたセメント硬化物の側圧による第２および第４側壁の変形を防止するから、内側スペースに打設されたセメント硬化物の側圧が第１〜第４側壁に作用したとしても、第１〜第４側壁が不用意に変形することはなく、第１〜第４側壁が変形した形状が歪な据付基礎構造物が作られることはなく、据付箇所に構造計算された設計どおりの据付基礎構造物を構築することができる。据付基礎構造物は、内側スペースにセメント硬化物を打設する前に、第１幅止めボルトによって第１および第３側壁の離間寸法が微調整され、第２幅止めボルトによって第２および第４側壁の離間寸法が微調整されるから、第１および第３側壁の離間寸法や第２および第４側壁の離間寸法が設計寸法と微妙に異なっていたとしても、それら離間寸法を設計寸法に一致させることができ、設計寸法どおりの据付基礎構造物を構築することができる。据付基礎構造物は、セメント硬化物の養生期間が経過した後に調整ボルトと第１長ナットおよび第１幅止めボルトと第２長ナットおよび第２幅止めボルトとがセメント硬化物と一体になり、据付基礎構造物にかかる荷重を調整ボルトと第１長ナットおよび第１幅止めボルトと第２長ナットおよび第２幅止めボルトとセメント硬化物とで分担するから、既設建造物の躯体の所定の据付箇所に強固に据え付けることができ、ソーラーパネルやアンテナ、貯水槽、浄化槽、空調機器等の重量のある機械器具、鉄塔や鉄骨柱、鉄骨建設物等の重量のある建築物を確実に支持することができる。
【００２４】
変形防止材が土台管の頂部における第１および第３側壁の内壁面に固定されて第１および第３側壁の間に延びていて内側スペースに打設されたセメント硬化物の側圧による第１および第３側壁の変形を防止する第３変形防止材と土台管の頂部における第２および第４側壁の内壁面に固定されて第２および第４側壁の間に延びていて内側スペースに打設されたセメント硬化物の側圧による第２および第４側壁の変形を防止する第４変形防止材とから形成されている据付基礎構造物は、第３変形防止材が内側スペースに打設されたセメント硬化物の側圧による第１および第３側壁の変形を防止し、第４変形防止材が内側スペースに打設されたセメント硬化物の側圧による第２および第４側壁の変形を防止するから、内側スペースに打設されたセメント硬化物の側圧が第１〜第４側壁に作用したとしても、第１〜第４側壁が不用意に変形することはなく、第１〜第４側壁が変形した形状が歪な据付基礎構造物が作られることはなく、据付箇所に構造計算された設計どおりの据付基礎構造物を構築することができる。
【００２５】
第３変形防止材が土台管の頂部における第１および第３側壁の内壁面に固定された第３長ナットと頂部における第１および第３側壁の間に延びていて第３長ナットに螺着され、内側スペースにセメント硬化物を打設する前またはセメント硬化物を打設する過程において第１および第３側壁の離間寸法を微調整する第３幅止めボルトとから形成され、第４変形防止材が土台管の頂部における第２および第４側壁の内壁面に固定された第４長ナットと頂部における第２および第４側壁の間に延びていて第４長ナットに螺着され、内側スペースにセメント硬化物を打設する前またはセメント硬化物を打設する過程において第２および第４側壁の離間寸法を微調整する第４幅止めボルトとから形成されている据付基礎構造物は、第３長ナットと第３幅止めボルトとから形成された第３変形防止材が内側スペースに打設されたセメント硬化物の側圧による第１および第３側壁の変形を防止し、第４長ナットと第４幅止めボルトとから形成された第４変形防止材が内側スペースに打設されたセメント硬化物の側圧による第２および第４側壁の変形を防止するから、内側スペースに打設されたセメント硬化物の側圧が第１〜第４側壁に作用したとしても、第１〜第４側壁が不用意に変形することはなく、第１〜第４側壁が変形した形状が歪な据付基礎構造物が作られることはなく、据付箇所に構造計算された設計どおりの据付基礎構造物を構築することができる。据付基礎構造物は、内側スペースにセメント硬化物を打設する前に、第３幅止めボルトによって第１および第３側壁の離間寸法が微調整され、第４幅止めボルトによって第２および第４側壁の離間寸法が微調整されるから、第１および第３側壁の離間寸法や第２および第４側壁の離間寸法が設計寸法と微妙に異なっていたとしても、それら離間寸法を設計寸法に一致させることができ、設計寸法どおりの据付基礎構造物を構築することができる。据付基礎構造物は、セメント硬化物の養生期間が経過した後に調整ボルトと第３長ナットおよび第３幅止めボルトと第４長ナットおよび第４幅止めボルトとがセメント硬化物と一体になり、据付基礎構造物にかかる荷重を調整ボルトと第３長ナットおよび第３幅止めボルトと第４長ナットおよび第４幅止めボルトとセメント硬化物とで分担するから、既設建造物の躯体の所定の据付箇所に強固に据え付けることができ、ソーラーパネルやアンテナ、貯水槽、浄化槽、空調機器等の重量のある機械器具、鉄塔や鉄骨柱、鉄骨建設物等の重量のある建築物を確実に支持することができる。
【００２６】
底部枠材が第１側壁の底部に固定されて第１側壁および体の間の間隙を塞ぐ第１底部枠材と第２側壁の底部に固定されて第２側壁および躯体の間の間隙を塞ぐ第２底部枠材と第３側壁の底部に固定されて第３側壁および躯体との間の間隙を塞ぐ第３底部枠材と第４側壁の底部に固定されて第４側壁および躯体との間の間隙を塞ぐ第４底部枠材とから形成されている据付基礎構造物は、第１〜第４底部枠材が製造工場において製造されて汎用部品化されており、マニュアル化された手順に従ってそれら底部枠材を土台管の第１〜第４側壁の底部に設置するだけで底部枠材が完成するから、土台管の底部に型枠を組み上げる必要やその型枠を解体する必要はなく、型枠の組立や型枠の解体にかかる手間や時間、コストを省くことができる。据付基礎構造物は、底部枠材の設置作業を簡略化することができるから、据付箇所に据付基礎構造物を迅速に据え付けることができ、工期を大幅に短縮することができる。据付基礎構造物は、第１〜第４底部枠材が第１〜第４側壁と躯体との間の間隙を塞ぐから、土台管の底部から内側スペースへの水分の進入を防ぐことができ、水分が進入することによる躯体の劣化を防ぐことができる。
【００２７】
底部分が第１〜第４底部分から形成され、調整ボルトが第１底部分に設置された第１調整ボルトと第２底部分に設置された第２調整ボルトと第３底部分に設置された第３調整ボルトと第４底部分に設置された第４調整ボルトとから形成されている据付基礎構造物は、躯体に対する土台管の高さおよび傾きを第１〜第４調整ボルトによって調整することができるから、据付箇所が傾斜していてとしても、据付箇所に対して土台管を水平に設置することができるとともに、複数個の据付基礎構造物を設置する場合にそれら据付基礎構造物どうしの高さ寸法を容易に調節することができ、それら据付基礎構造物の高さ寸法を均一に揃えることができる。据付基礎構造物は、第１〜第４底部分に形成されたボルト孔と躯体のボルト孔とに設置された第１〜第４調整ボルトによって土台管を据付箇所に固定するから、マニュアル化された手順に従って躯体に対して土台管を容易に固定するができ、据付基礎構造物の工期を大幅に短縮することができる。据付基礎構造物は、第１〜第４調整ボルトが躯体のボルト孔に設置されるから、内側スペースに打設されたセメント硬化物の側圧が第１〜第４側壁に作用したとしても、躯体に固定された第１〜第４調整ボルトによってセメント硬化物の側圧による第１〜第４側壁の不用意な変形が防止され、第１〜第４側壁が変形した形状が歪な据付基礎構造物が作られることはなく、据付箇所に構造計算された設計どおりの据付基礎構造物を構築することができる。
【００２８】
セメント硬化物から上方へ露出する螺子上部およびセメント硬化物に固定された螺子下部を有する支持ボルトと土台管の頂部分または頂部枠材の上に設置されて支持ボルトをセメント硬化物に設置するために利用されるスペーサとスペーサの上に設置されて支持ボルトが挿脱可能に設置されて支持ボルトをセメント硬化物に設置するために利用されるボルト位置決め部材とを含む据付基礎構造物は、スペーサとボルト位置決め部材とを利用することで、正確に位置決めされたセメント硬化物の固定位置に支持ボルトの螺子下部を容易に設置することができ、その支持ボルトの螺子上部をセメント硬化物から上方に露出させることができる。据付基礎構造物は、セメント硬化物から上方へ露出する支持ボルトにソーラーパネルやアンテナ、貯水槽、浄化槽、空調機器等の重量のある機械器具、鉄塔や鉄骨柱、鉄骨建設物等の重量のある建築物を据付基礎構造物を強固に固定することができ、支持ボルトを利用することでそれらの機械器具やそれら建築物を強固に備え付けることができる。
【００２９】
据付基礎構造物は、スペーサを土台管の頂部分または頂部枠材の上に設置し、支持ボルトを設置したボルト位置決め部材をスペーサの上に設置した後、内側スペースにセメント硬化物を打設し、セメント硬化物を養生した後、ボルト位置決め部材とスペーサとを取り外すことで、支持ボルトの螺子下部がセメント硬化物に固定され、支持ボルトの螺子上部がセメント硬化物から上方へ露出するから、スペーサとボルト位置決め部材とを利用することで、正確に位置決めされたセメント硬化物の固定位置に支持ボルトの螺子下部を容易に設置することができ、その支持ボルトの螺子上部をセメント硬化物から上方に露出させることができる。据付基礎構造物は、セメント硬化物から上方へ露出する支持ボルトにソーラーパネルやアンテナ、貯水槽、浄化槽、空調機器等の重量のある機械器具、鉄塔や鉄骨柱、鉄骨建設物等の重量のある建築物を据付基礎構造物を強固に固定することができ、支持ボルトを利用することでそれらの機械器具やそれら建築物を強固に備え付けることができる。
【００３０】
新設防水材が底部枠材から径方向に延長され、底部枠材の周囲に位置する躯体が新設防水材に被覆されている据付基礎構造物は、それが既設建造物の屋上に据え付けられた場合でも、底部枠材の周囲に位置する躯体が新設防水材に被覆されるから、土台管や底部枠材、躯体への水の侵入を防ぐことができ、土台管や底部枠材に水が進入することによる土台管や底部枠材の腐食や強度低下を防ぐことができ、躯体に水が進入することによる躯体の劣化を防ぐことができる。
【００３１】
頂部分が第１〜第４頂部分から形成され、頂部枠材が第１頂部分に着脱可能に設置された第１頂部枠材と第２頂部分に着脱可能に設置された第２頂部枠材と第３頂部分に着脱可能に設置された第３頂部枠材と第４頂部分に着脱可能に設置された第４頂部枠材とから形成されている据付基礎構造物は、第１〜第４頂部枠材が製造工場において製造されて汎用部品化（規格化）されており、マニュアル化された手順に従ってそれら頂部枠材を土台管の第１〜第４頂部分に設置するだけで頂部枠材が完成するから、土台管の頂部に型枠を組み上げる必要やその型枠を解体する必要はなく、型枠の組立や型枠の解体にかかる手間や時間、コストを省くことができる。据付基礎構造物は、頂部枠材の設置作業を簡略化することができるから、据付箇所に据付基礎構造物を迅速に据え付けることができ、工期を大幅に短縮することができる。
【図面の簡単な説明】
【００３２】
【図１】一例として示す据付基礎構造物の斜視図。
【図２】図１の据付基礎構造物の断面図。
【図３】土台管および第１〜第４底部枠材の斜視図。
【図４】第１〜第４頂部枠材の斜視図。
【図５】据付箇所に土台管を設置した後の断面図。
【図６】土台管に底部枠材を設置した後の断面図。
【図７】土台管に頂部枠材を設置した後の断面図。
【図８】図７の上面図。
【図９】新設断熱材と新設防水材とを設置し、頂部枠材にスペーサとボルト位置決め枠とを設置した後の断面図。
【図１０】図９の上面図。
【図１１】土台管および枠材の内側スペースにコンクリートを打設した後の断面図。
【図１２】他の一例として示す据付基礎構造物の斜視図。
【図１３】図１２の据付基礎構造物の断面図。
【図１４】土台管および底部枠材の斜視図。
【図１５】据付箇所に土台管を設置した後の断面図。
【図１６】土台管に底部枠材を設置した後の断面図。
【図１７】土台管に頂部枠材を設置した後の断面図。
【図１８】新設断熱材と新設防水材とシンダーコンクリートとを設置し、頂部枠材にスペーサとボルト位置決め枠とを設置した後の断面図。
【図１９】土台管および枠材の内側スペースにコンクリートを打設した後の断面図。
【図２０】他の一例として示す据付基礎構造物の断面図。
【図２１】土台管および第１〜第４底部枠材の斜視図。
【図２２】図２１の上面図。
【図２３】据付箇所に土台管を設置するとともに、土台管に底枠部材を設置した後の断面図。
【図２４】新設断熱材と新設防水材とを設置し、頂部分にスペーサとボルト位置決め枠とを設置した後の断面図。
【図２５】図２４の上面図。
【発明を実施するための形態】
【００３３】
一例として示す据付基礎構造物１０Ａの斜視図である図１等の添付の図面を参照し、本発明にかかる据付基礎構造物の詳細を説明すると、以下のとおりである。なお、図２は、図１の据付基礎構造物１０Ａの断面図であり、図３は、土台管１１ａおよび第１〜第４底部枠材１３ａ〜１３ｄの斜視図である。図４は、第１〜第４頂部枠材１５ａ〜１５ｄの斜視図である。図１では、上下方向を矢印Ｘ１、横方向（径方向）を矢印Ｘ２で示し、前後方向（径方向）を矢印Ｘ３で示す。
【００３４】
図１では、既設のビル（既設建造物）の屋上に据え付けられた１つの据付基礎構造物１０Ａを図示しているが、据付基礎構造物１０Ａの数を図示のそれに限定するものではなく、一般的には複数の据付基礎構造物１０Ａが前後方向や横方向へ一列に並んだ状態でビルの屋上に据え付けられる。据付基礎構造物１０Ａは、既設のビル（既設建造物）の屋上や地下の既設防水材３５と既設断熱材３４とを取り除いた躯体３３（鉄筋コンクリート躯体）の所定の据付箇所に据え付けられている。
【００３５】
なお、据付基礎構造物１０Ａが既設のビル（既設建造物）の屋上や地下の既設シンダーコンクリート３９と既設断熱材３４と既設防水材３５とを取り除いた躯体３３（鉄筋コンクリート躯体）の所定の据付箇所に据え付けられる場合があり、または、既設のビル（既設建造物）の屋上や地下の既設シンダーコンクリート３９と既設防水材３５とを取り除いた躯体３３（鉄筋コンクリート躯体）の所定の据付箇所に据え付けられる場合がある。
【００３６】
据付基礎構造物１０Ａは、中空の土台管１１ａと、土台管１１ａの底部１２に固定されて底部１２から下方へ延びる底部枠材１３と、土台管１１ａの頂部１４に着脱可能に設置されて頂部１４から径方向外方へ延びるとともに上方へ延びる頂部枠材１５と、土台管１１ａと底部枠材１３との外周面全域に設置された新設防水材１６と、土台管１１ａおよびそれら枠材１３，１５の内側スペース１７に打設されたコンクリート１８（セメント硬化物）と、コンクリート１８に設置された支持ボルト１９とから形成されている。内側スペース１７には、新設鉄筋２０が配筋されている。
【００３７】
土台管１１ａや底部枠材１３、頂部枠材１５、支持ボルト１９は、汎用部品化（規格化）され、製造工場においてあらかじめ製造される大量生産品である。据付基礎構造物１０Ａは、それら汎用部品を使用して所定のマニュアル化された手順によって組み立てられる。土台管１１ａは、亜鉛メッキ鋼板によって作られ、躯体３３の据付箇所に載置、固定されている。土台管１１ａは、亜鉛メッキ鋼板を切削加工や折曲げ加工、溶接加工によって製造される。土台管１１ａを切削加工や折曲げ加工、溶接加工によって量産することができ、土台管１１ａの製造コストを大幅に節約することができるとともに、据付基礎構造物１０Ａの据付コストを少なくすることができる。なお、土台管１１ａは、その他の鋼材板やアルミ板、鉄板、合金板等の金属板から作ることができ、または、合成樹脂板から作ることができる。土台管１１ａが合成樹脂板から作られる場合、射出成型やプレス成形によって土台管１１ａを量産することができ、土台管１１ａの製造コストを大幅に節約することができるとともに、据付基礎構造物１０Ａの据付コストを少なくすることができる。
【００３８】
土台管１１ａは、第１〜第４側壁２１ａ〜２１ｄと頂部分２２と底部分２３と調整ボルト２４と変形防止材２５とを有する。第１および第３側壁２１ａ，２１ｃは、横方向へ長い矩形に成型され、互いに対向して上下方向へ延びている。第２および第４側壁２１ｂ，２１ｄは、前後方向へ長い矩形に成型され、第１および第３側壁２１ａ，２１ｃに直交しつつ（直角に交差しつつ）互いに対向して上下方向へ延びている。第１〜第４側壁２１ａ〜２１ｄの底部１２には、ビスを螺着する複数のビス螺着孔が形成（穿孔）されている。第１〜第４側壁２１ａ〜２１ｄや頂部分２２、底部分２３の厚み寸法は、２〜２．５ｍｍの範囲にある。
【００３９】
頂部分２２は、第１側壁２１ａの頂部１４から径方向外方へ延びていて第１側壁２１ａの頂部１４に連結（溶接）された第１頂部分２２ａと、第２側壁２１ｂの頂部１４から径方向外方へ延びていて第２側壁２１ｂの頂部１４に連結（溶接）された第２頂部分２２ｂと、第３側壁２１ｃの頂部１４から径方向外方へ延びていて第３側壁２１ｃの頂部１４に連結（溶接）された第３頂部分２２ｃと、第４側壁２１ｄの頂部１４から径方向外方へ延びていて第４側壁２１ｄの頂部１４に連結（溶接）された第４頂部分２２ｄとから形成されている。第１〜第４頂部分２２ａ〜２２ｄは、第１〜第４側壁２１ａ〜２１ｄに対して直交（直角に交差）している。第１〜第４頂部分２２ａ〜２２ｄには、ビスを螺着する複数のビス螺着孔が形成（穿孔）されている。
【００４０】
底部分２３は、第１側壁２１ａの底部１２から径方向内方へ延びていて第１側壁２１ａの底部１２に連結（溶接）された第１底部分２３ａと、第２側壁２１ｂの底部１２から径方向内方へ延びていて第２側壁２１ｂの底部１２に連結（溶接）された第２底部分２３ｂと、第３側壁２１ｃの底部１２から径方向内方へ延びていて第３側壁２１ｃの底部１２に連結（溶接）された第３底部分２３ｃと、第４側壁２１ｄの底部１２から径方向内方へ延びていて第４側壁２１ｄの底部１２に連結（溶接）された第４底部分２３ｄとから形成されている。第１〜第４底部分２３ａ〜２３ｄは、第１〜第４側壁２１ａ〜２１ｄに対して直交（直角に交差）している。第１〜第４底部分２３ａ〜２３ｄには、調整ボルトを挿通（設置）するボルト孔が形成（穿孔）されている。
【００４１】
調整ボルト２４は、鋼材やアルミ、鉄、合金等の金属、または、合成樹脂から作られている。調整ボルト２４は、雄螺子（図示せず）が作られた軸とボルトヘッドとから形成された六角ボルトである。調整ボルト２４は、躯体３３に対する土台管１１ａの高さおよび傾きを調整するとともに、土台管１１ａを躯体３３に強固に固定する。調整ボルト２４は、第１底部分２３ａに設置される第１調整ボルト２４ａと、第２底部分２３ｂに設置される第２調整ボルト２４ｂと、第３底部分２３ｃに設置される第３調整ボルト２４ｃと、第４底部分２３ｄに設置される第４調整ボルト２４ｄとから形成されている（図８参照）。
【００４２】
第１調整ボルト２４ａは、第１底部分２３ａに形成されたボルト孔に挿通（設置）され、躯体３３に形成されたボルト孔に螺着（設置）されている。躯体３３と第１底部分２３ａとの間に延びるボルト２４ａの軸には、六角ナット２６が螺着されている（図５参照）。第１調整ボルト２４ａの軸に対する六角ナット２６の螺着位置を調節することで、躯体３３に対する第１側壁２１ａ（土台管１１ａ）の高さおよび傾きを調節する。第１調整ボルト２４ａの軸を躯体３３のボルト孔に螺着することで、第１側壁２１ａ（土台管１１ａ）が躯体３３に強固に固定される。
【００４３】
第２調整ボルト２４ｂは、第２底部分２３ｂに形成されたボルト孔に挿通（設置）され、躯体３３に形成されたボルト孔に螺着（設置）されている。躯体３３と第２底部分２３ｂとの間に延びるボルト２４ｂの軸には、六角ナット２６が螺着されている。第２調整ボルト２４ｂの軸に対する六角ナット２６の螺着位置を調節することで、躯体３３に対する第２側壁２１ｂ（土台管１１ａ）の高さおよび傾きを調節する。第２調整ボルト２４ｂの軸を躯体３３のボルト孔に螺着することで、第２側壁２１ｂ（土台管１１ａ）が躯体３３に強固に固定される。
【００４４】
第３調整ボルト２４ｃは、第３底部分２３ｃに形成されたボルト孔に挿通（設置）され、躯体３３に形成されたボルト孔に螺着（設置）されている。躯体３３と第３底部分２３ｃとの間に延びるボルト２４ｃの軸には、六角ナット２６が螺着されている。第３調整ボルト２４ｃの軸に対する六角ナット２６の螺着位置を調節することで、躯体３３に対する第３側壁２１ｃ（土台管１１ａ）の高さおよび傾きを調節する。第３調整ボルト２４ｃの軸を躯体３３のボルト孔に螺着することで、第３側壁２１ｃ（土台管１１ａ）が躯体３３に強固に固定される。
【００４５】
第４調整ボルト２４ｄは、第４底部分２３ｄに形成されたボルト孔に挿通（設置）され、躯体３３に形成されたボルト孔に螺着（設置）されている。躯体３３と第４底部分２３ｄとの間に延びるボルト２４ｄの軸には、六角ナット２６が螺着されている。第４調整ボルト２４ｄの軸に対する六角ナット２６の螺着位置を調節することで、躯体３３に対する第４側壁２１ｄ（土台管１１ａ）の高さおよび傾きを調節する。第４調整ボルト２４ｄの軸を躯体３３のボルト孔に螺着することで、第４側壁２１ｄ（土台管１１ａ）が躯体３３に強固に固定される。
【００４６】
変形防止材２５は、土台管１１ａの中央部２７における第１および第３側壁２１ａ，２１ｃの内壁面に固定されて第１および第３側壁２１ａ，２１ｃの間に延びる第１変形防止材２５ａと、土台管１１ａの中央部２７における第２および第４側壁２１ｂ，２１ｄの内壁面に固定されて第２および第４側壁２１ｂ，２１ｄの間に延びる第２変形防止材２５ｂとから形成されている（図８参照）。
【００４７】
第１変形防止材２５ａは、土台管１１ａの中央部２７における第１および第３側壁２１ａ，２１ｃの内壁面に固定された第１長ナット２８ａと、それら長ナット２８ａに螺着された第１幅止めボルト２９ａとから形成されている。第１幅止めボルト２９ａは、土台管１１ａの中央部２７における第１および第３側壁２１ａ，２１ｃの間に延びており、第１および第３側壁２１ａ，２１ｃを繋いでいる。第１変形防止材２５ａは、土台管１１ａの内側スペース１７に打設されたコンクリート１８（セメント硬化物）の側圧による第１および第３側壁２１ａ，２１ｃの変形を防止する。なお、第１幅止めボルト２９ａを時計回り方向または反時計回り方向に回転させることで、第１および第３側壁２１ａ，２１ｃを離間させる方向または近接させる方向へ力を作用させることができ、第１幅止めボルト２９ａによって第１および第３側壁２１ａ，２１ｃの離間寸法が微調整される。
【００４８】
第２変形防止材２５ｂは、土台管１１ａの中央部２７における第２および第４側壁２１ｂ，２１ｄの内壁面に固定された第２長ナット２８ｂと、それら長ナット２８ｂに螺着された第２幅止めボルト２９ｂとから形成されている。第２幅止めボルト２９ｂは、土台管１１ａの中央部２７における第２および第４側壁２１ｂ，２１ｄの間に延びており、第２および第４側壁２１ｂ，２１ｄを繋いでいる。第２変形防止材２５ｂは、土台管１１ａの内側スペース１７に打設されたコンクリート１８の側圧による第２および第４側壁２１ｂ，２１ｄの変形を防止する。なお、第２幅止めボルト２９ｂを時計回り方向または反時計回り方向に回転させることで、第２および第４側壁２１ｂ，２１ｄを離間させる方向または近接させる方向へ力を作用させることができ、第２幅止めボルト２９ｂによって第２および第４側壁２１ｂ，２１ｄの離間寸法が微調整される。第１および第２長ナット２８ａ，２８ｂや第１および第２幅止めボルト２９ａ，２９ｂは、鋼材やアルミ、鉄、合金等の金属、または、合成樹脂から作られている。
【００４９】
底部枠材１３は、亜鉛メッキ鋼板を切削加工や折曲げ加工することによって製造される。なお、底部枠材１３は、その他の鋼材板やアルミ板、鉄板、合金板等の金属板から作ることができ、または、合成樹脂板から作ることができる。底部枠材１３が金属板や合成樹脂板から作られている場合、底部枠材１３を切削加工や折曲げ加工、射出成型、プレス成形によって量産することができ、底部枠材１３の製造コストを大幅に節約することができるとともに、据付基礎構造物１０Ａの据付コストを少なくすることができる。
【００５０】
底部枠材１３は、第１側壁２１ａの底部１２から下方へ延びる第１底部枠材１３ａと、第２側壁２１ｂの底部１２から下方へ延びる第２底部枠材１３ｂと、第３側壁２１ｃの底部１２から下方へ延びる第３底部枠材１３ｃと、第４側壁２１ｄの底部１２から下方へ延びる第４底部枠材１３ｄとから形成されている。第１〜第４底部枠材１３ａ〜１３ｄには、ビスを螺着する複数のビス螺着孔が形成（穿孔）されている。第１〜第４底部枠材１３ａ〜１３ｄの厚み寸法は、２〜２．５ｍｍの範囲にある。
【００５１】
第１底部枠材１３ａは、第１側壁２１ａの外側（外面）に配置され、第１側壁２１ａの底部１２と第１底部枠材１３ａとに形成されたビス螺着孔に螺着されたビスにより、第１側壁２１ａの底部１２に強固に固定されている。第１底部枠材１３ａは、第１側壁２１ａの底部１２から下方へ延びることで、第１側壁２１ａと躯体３３との間の間隙を塞いでいる。第２底部枠材１３ｂは、第２側壁２１ｂの外側（外面）に配置され、第２側壁２１ｂの底部１２と第２底部枠材１３ｂとに形成されたビス螺着孔に螺着されたビスにより、第２側壁２１ｂの底部１２に強固に固定されている。第２底部枠材１３ｂは、第２側壁２１ｂの底部１２から下方へ延びることで、第２側壁２１ｂと躯体３３との間の間隙を塞いでいる。
【００５２】
第３底部枠材１３ｃは、第３側壁２１ｃの外側（外面）に配置され、第３側壁２１ｃの底部１２と第３底部枠材１３ｃとに形成されたビス螺着孔に螺着されたビスにより、第３側壁２１ｃの底部１２に強固に固定されている。第３底部枠材１３ｃは、第３側壁２１ｃの底部１２から下方へ延びることで、第３側壁２１ｃと躯体３３との間の間隙を塞いでいる。第４底部枠材１３ｄは、第４側壁２１ｄの外側（外面）に配置され、第４側壁２１ｄの底部１２と第４底部枠材１３ｄとに形成されたビス螺着孔に螺着されたビスにより、第４側壁２１ｄの底部１２に強固に固定されている。第４底部枠材１３ｄは、第４側壁２１ｄの底部１２から下方へ延びることで、第４側壁２１ｄと躯体３３との間の間隙を塞いでいる。
【００５３】
頂部枠材１５は、亜鉛メッキ鋼板を切削加工や折曲げ加工することによって製造される。なお、頂部枠材１５は、その他の鋼材板やアルミ板、鉄板、合金板等の金属板から作ることができ、または、合成樹脂板から作ることができる。頂部枠材１５が金属板や合成樹脂板から作られている場合、頂部枠材１５を切削加工や折曲げ加工、射出成型、プレス成形によって量産することができ、頂部枠材１５の製造コストを大幅に節約することができるとともに、据付基礎構造物１０Ａの据付コストを少なくすることができる。頂部枠材１５は、第１側壁２１ａに位置する第１頂部枠材１５ａと、第２側壁２１ｂに位置する第２頂部枠材１５ｂと、第３側壁２１ｃに位置する第３頂部枠材１５ｃと、第４側壁２１ｄに位置する第４頂部枠材１５ｄとから形成されている（図８参照）。第１〜第４頂部枠材１５ａ〜１５ｄの厚み寸法は、２〜２．５ｍｍの範囲にある。
【００５４】
第１頂部枠材１５ａは、第１側壁２１ａの頂部１４から径方向外方へ延びる水平部分３０と、水平部分３０の延出端から上方へ延びる垂直部分３１と、垂直部分３１の延出端から直角に折れ曲がる折曲部分３２とを有する。垂直部分３１は水平部分３０に対して直交（直角に交差）し、折曲部分３２は垂直部分３１に対して直交（直角に交差）している。第１頂部枠材１５ａの水平部分３０や垂直部分３１、折曲部分３２には、ビスを螺着する複数のビス螺着孔が形成（穿孔）されている。第１頂部枠材１５ａは、その水平部分３０が第１頂部分２２ａの下方（下面）に配置され、第１頂部分２２ａと水平部分３０とに形成されたビス螺着孔に螺着されたビスにより、水平部分３０が第１頂部分２２ａに着脱可能に連結（設置）されている。
【００５５】
第２頂部枠材１５ｂは、第２側壁２１ｂの頂部１４から径方向外方へ延びる水平部分３０と、水平部分３０の延出端から上方へ延びる垂直部分３１と、垂直部分３１の延出端から直角に折れ曲がる折曲部分３２とを有する。垂直部分３１は水平部分３０に対して直交（直角に交差）し、折曲部分３２は垂直部分３１に対して直交（直角に交差）している。第２頂部枠材１５ｂの水平部分３０や垂直部分３１、折曲部分３２には、ビスを螺着する複数のビス螺着孔が形成（穿孔）されている。第２頂部枠材１５ｂは、その水平部分３０が第２頂部分２２ｂの下方（下面）に配置され、第２頂部分２２ｂと水平部分３０とに形成されたビス螺着孔に螺着されたビスにより、水平部分３０が第２曲部分２２ｂに着脱可能に連結（設置）されている。さらに、第２頂部枠材１５ｂの垂直部分３１の外側（垂直部分３１の外面）が第１頂部枠材１５ａの折曲部分３２の内側（折曲部分３２の内面）に重なり、第２頂部枠材１５ｂの垂直部分３１と第１頂部枠材１５ａの折曲部分３２とに形成されたビス螺着孔に螺着されたビスにより、第２頂部枠材１５ｂの垂直部分３１が第１頂部枠材１５ａの折曲部分３２に着脱可能に連結（設置）されている。
【００５６】
第３頂部枠材１５ｃは、第３側壁２１ｃの頂部１４から径方向外方へ延びる水平部分３０と、水平部分３０の延出端から上方へ延びる垂直部分３１と、垂直部分３１の延出端から直角に折れ曲がる折曲部分３２とを有する。垂直部分３１は水平部分３０に対して直交（直角に交差）し、折曲部分３２は垂直部分３１に対して直交（直角に交差）している。第３頂部枠材１５ｃの水平部分３０や垂直部分３１、折曲部分３２には、ビスを螺着する複数のビス螺着孔が形成（穿孔）されている。第３頂部枠材１５ｃは、その水平部分３０が第３頂部分２２ｃの下方（下面）に配置され、第３頂部分２２ｃと水平部分３０とに形成されたビス螺着孔に螺着されたビスにより、水平部分３０が第３頂部分２２ｃに着脱可能に連結（設置）されている。さらに、第３頂部枠材１５ｃの垂直部分３１の外側（垂直部分３１の外面）が第２頂部枠材１５ｂの折曲部分３２の内側（折曲部分３２の内面）に重なり、第３頂部枠材１５ｃの垂直部分３１と第２頂部枠材１５ｂの折曲部分３２とに形成されたビス螺着孔に螺着されたビスにより、第３頂部枠材１５ｃの垂直部分３１が第２頂部枠材１５ｂの折曲部分３２に着脱可能に連結（設置）されている。
【００５７】
第４頂部枠材１５ｄは、第４側壁２１ｄの頂部１４から径方向外方へ延びる水平部分３０と、水平部分３０の延出端から上方へ延びる垂直部分３１と、垂直部分３１の延出端から直角に折れ曲がる折曲部分３２とを有する。垂直部分３１は水平部分３０に対して直交（直角に交差）し、折曲部分３２は垂直部分３１に対して直交（直角に交差）している。第４頂部枠材１５ｄの水平部分３０や垂直部分３１、折曲部分３２には、ビスを螺着する複数のビス螺着孔が形成（穿孔）されている。第４頂部枠材１５ｂは、その水平部分３０が第４頂部分２２ｄの下方（下面）に配置され、第４頂部分２２ｄと水平部分３１とに形成されたビス螺着孔に螺着されたビスにより、水平部分３０が第４頂部分２２ｄに着脱可能に連結（設置）されている。さらに、第４頂部枠材１５ｄの垂直部分３１の外側（垂直部分３１の外面）が第３頂部枠材１５ｃの折曲部分３２の内側（折曲部分３２の内面）に重なり、第４頂部枠材１５ｄの垂直部分３１と第３頂部枠材１５ｃの折曲部分３２とに形成されたビス螺着孔に螺着されたビスにより、第４頂部枠材１５ｄの垂直部分３１が第３頂部枠材１５ｃの折曲部分３２に着脱可能に連結（設置）されている。
【００５８】
新設防水材１６は、シート防水が利用されているが、シート防水の他に、ウレタン防水やアスファルト防水を利用することもできる。新設防水材１６は、土台管１１ａの第１〜第４頂部分２２ａ〜２２ｄの外面と第１〜第４側壁２１ａ〜２１ｄの外面と第１〜第４底枠部材２３ａ〜２３ｄの外面とに設置されているとともに、第１〜第４底枠部材２３ａ〜２３ｄから径方向外方に延長され、それら底部枠材２３ａ〜２３ｄの周囲に設置された新設断熱材とそれら底部枠材２３ａ〜２３ｄの周囲に位置する躯体３３とを被覆している。
【００５９】
支持ボルト１９は、鋼材やアルミ、鉄、合金等の金属、または、合成樹脂から作られている。支持ボルト１９は、雄螺子（図示せず）が作られてコンクリート１８（セメント硬化物）から上方へ露出する螺子上部と、コンクリート１８に固定された螺子下部とを有する。図１では、４本の支持ボルト１９を図示しているが、支持ボルト１９の本数に特に制限はなく、その本数を必要に応じて変えることができる。
【００６０】
図５は、据付箇所に土台管１１ａを設置した後の断面図であり、図６は、土台管１１ａに底枠部材１３を設置した後の断面図である。図７は、土台管１１ａに頂部枠材１５を設置した後の断面図であり、図８は、図７の上面図である。図９は、新設断熱材３６と新設防水材１６とを設置し、頂部枠材１５にスペーサ３７とボルト位置決め枠３８とを設置した後の断面図であり、図１０は、図９の上面図である。図１１は、土台管１１ａおよび枠材１３，１５の内側スペース１７にコンクリート１８を打設した後の断面図である。図８，１０では、鉄筋２０の図示を省略している。図５〜図１０を参照し、据付基礎構造物１０Ａをビルの屋上に設置する場合を例として、据付基礎構造物１０Ａの施工手順を説明すると、以下のとおりである。
【００６１】
製造工場で製造され、汎用部品化された各部材（土台管１１ａ（調整ボルト２４、長ナット２８ａ，２８ｂ、幅止めボルト２９ａ，２９ｂを含む。）、底部枠材１３、頂部枠材１５、支持ボルト１９、後記するスペーサ３７およびボルト位置決め枠３８（ボルト位置決め部材）を工場から施工現場に搬送する。土台管１１ａや底部枠材１３、頂部枠材１５に形成されたボルト孔やビス螺着孔は工場においてすでに作られている。工場から搬送される土台管１１ａには、第１〜第４底部分２３ａ〜２３ｄに形成されたボルト孔に第１〜第４調節ボルト２４ａ〜２４ｄが挿通（設置）され、それら調節ボルト２４ａ〜２４ｄに六角ナット２６が螺着されている。工場から搬送される土台管１１ａの第１〜第４側壁２１ａ〜２１ｄの内壁面には、長ナット２８ａ，２８ｂが固定（溶接）されている。
【００６２】
据付基礎構造物１０Ａを据え付けるビルの屋上は、躯体３３（鉄筋コンクリート躯体）と、躯体３３の上に施設された（重なる）既設断熱材３４と、既設断熱材３４の上に施設された（重なる）既設防水材３５とから形成されている。最初に、ビルの屋上における据付基礎構造物１０Ａの据付箇所を位置決めする（墨出しする）。位置決めした据付箇所にマーキングをした後、その据付箇所において、既設防水材３５と既設断熱材３４とを取り除き（はつり）、躯体３３を露出させる（据付準備工程）。
【００６３】
なお、ビルの屋上が既設シンダーコンクリートと既設断熱材３４と既設防水材３５と躯体３３（鉄筋コンクリート躯体）とから形成されている場合、既設シンダーコンクリートと既設断熱材３４と既設防水材３５とを取り除き（はつり）、躯体３３を露出させる。また、ビルの屋上が既設シンダーコンクリートと既設防水材３５と躯体３３（鉄筋コンクリート躯体）とから形成されている場合、既設シンダーコンクリートと既設防水材３５とを取り除き（はつり）、躯体３３を露出させる。
【００６４】
躯体３３を露出させた後、据付箇所の躯体３３に配筋された既設鉄筋の位置をセンサを利用して検出する。躯体３３の既設鉄筋の位置を検出した後、躯体３３の各既設鉄筋を避けた位置に新設鉄筋２０を固定するアンカーホールを穿孔するとともに、第１〜第４調節ボルト２４ａ〜２４ｄを螺着するボルト孔を穿孔する。アンカーホールやボルト孔を穿孔した後、据付箇所における躯体３３の土台管設置位置に土台管１１ａを載置する。次に、第１〜第４調節ボルト２４ａ〜２４ｄの軸を躯体３３に形成されたボルト孔に螺着し、土台管１１ａを躯体３３に固定する（土台管固定工程）。土台管１１ａを躯体３３に固定すると、土台管１１ａの第１〜第４側壁２１ａ〜２１ｄ（第１〜第４底部分２３ａ〜２３ｄ）が躯体３３から上方へ離間し、躯体３３と土台管１１ａとの間に間隙が形成される。
【００６５】
土台管１１ａを躯体３３に固定した後、第１調節ボルト２４ａの軸に対する六角ナット２６の螺着位置を調節して第１側壁２１ａ（土台管１１ａ）の高さおよび傾きを調節し（高さ・傾き調節工程）、第２調節ボルト２４ｂの軸に対する六角ナット２６の螺着位置を調節して第２側壁２１ｂ（土台管１１ａ）の高さおよび傾きを調節する（高さ・傾き調節工程）。さらに、第３調節ボルト２４ｃの軸に対する六角ナット２６の螺着位置を調節して第３側壁２１ｃ（土台管１１ａ）の高さおよび傾きを調節し（高さ・傾き調節工程）、第４調節ボルト２４ｄの軸に対する六角ナット２６の螺着位置を調節して第４側壁２１ｄ（土台管１１ａ）の高さおよび傾きを調節する（高さ・傾き調節工程）。ナット２６を時計回りに回転させることで、土台管１１ａを躯体３３から離間するように移動（上昇）させることができ、ナット２６を反時計回りに回転させることで、土台管１１ａを躯体３３に近づくように移動（下降）させることができる。
【００６６】
躯体３３に対する土台管１１ａの高さおよび傾きを調節した後、土台管１１ａの第１および第３側壁２１ａ，２１ｃの内壁面に固定（溶接）された第１長ナット２８ａに第１幅止めボルト２９ａを螺着し、第１幅止めボルト２９ａによって第１側壁２１ａと第３側壁２１ｃとを連結し、土台管１１ａの第２および第４側壁２１ｂ，２１ｄの内壁面に固定（溶接）された第２長ナット２８ｂに第２幅止めボルト２９ｂを螺着し、第２幅止めボルト２９ｂによって第２側壁２１ｂと第４側壁２１ｄとを連結する（変形防止材設置工程）。
【００６７】
なお、変形防止材設置工程では、第１および第３側壁２１ａ，２１ｃの離間寸法が設計寸法と微妙に異なる場合、第１幅止めボルト２９ａを時計回り方向または反時計回り方向に回転させ、第１および第３側壁２１ａ，２１ｃを離間させる方向または近接させる方向へ力を作用させ、第１幅止めボルト２９ａによって第１および第３側壁２１ａ，２１ｃの離間寸法を微調整し、離間寸法を設計寸法に一致させる。また、第２および第４側壁２１ｂ，２１ｄの離間寸法が設計寸法と微妙に異なる場合、第２幅止めボルト２９ｂを時計回り方向または反時計回り方向に回転させ、第２および第４側壁２１ｂ，２１ｄを離間させる方向または近接させる方向へ力を作用させ、第２幅止めボルト２９ｂによって第２および第４側壁２１ｂ，２１ｄの離間寸法を微調整し、離間寸法を設計寸法に一致させる。
【００６８】
次に、土台管１１ａの第１側壁２１ａの底部１２における外面に第１底部枠材１３ａを配置し、第１側壁２１ａと第１底部枠材１３ａとに形成されたビス螺着孔を一致させ、ビス螺着孔にビスを螺着して第１側壁２１ａに第１底部枠材１３ａを固定する（底部枠材設置工程）。第１側壁２１ａに第１底部枠材１３ａを固定すると、第１側壁２１ａと躯体３３との間の間隙が塞がれる。土台管１１ａの第２側壁２１ｂの底部１２における外面に第２底部枠材１３ｂを配置し、第２側壁２１ｂと第２底部枠材１３ｂとに形成されたビス螺着孔を一致させ、ビス螺着孔にビスを螺着して第２側壁２１ｂに第２底部枠材１３ｂを固定する（底部枠材設置工程）。第２側壁２１ｂに第２底部枠材１３ｂを固定すると、第２側壁２１ｂと躯体３３との間の間隙が塞がれる。
【００６９】
土台管１１ａの第３側壁２１ｃの底部１２における外面に第３底部枠材１３ｃを配置し、第３側壁２１ｃと第３底部枠材１３ｃとに形成されたビス螺着孔を一致させ、ビス螺着孔にビスを螺着して第３側壁２１ｃに第３底部枠材１３ｃを固定する（底部枠材設置工程）。第３側壁２１ｃに第３底部枠材１３ｃを固定すると、第３側壁２１ｃと躯体３３との間の間隙が塞がれる。土台管１１ａの第４側壁２１ｄの底部１２における外面に第４底部枠材１３ｄを配置し、第４側壁２１ｄと第４底部枠材１３ｄとに形成されたビス螺着孔を一致させ、ビス螺着孔にビスを螺着して第４側壁２１ｄに第４底部枠材１３ｄを固定する（底部枠材設置工程）。第４側壁２１ｄに第４底部枠材１３ｄを固定すると、第４側壁２１ｄと躯体３３との間の間隙が塞がれる。
【００７０】
土台管１１ａの各側壁２１ａ〜２１ｄにそれら底部枠材１３ａ〜１３ｄを固定した後、第１頂部枠材１５ａの水平部分３０を土台管１１ａの第１頂部分２２ａの下方（下面）に配置し、第１頂部分２２ａと水平部分３０とに形成されたビス螺着孔を一致させ、ビス螺着孔にビスを螺着して第１頂部枠材１５ａを土台管１１ａの第１頂部分２２ａに着脱可能に連結（設置）する（頂部枠材設置工程）。第１頂部枠材１５ａを第１頂部分２２ａに連結すると、第１頂部枠材１５ａの垂直部分３１が土台管１１ａの第１側壁２１ａの頂部１４から上方に延びるとともに、第１頂部枠材１５ａの折曲部分３２が第２側壁２１ｂの頂部１４から上方へ延びる。
【００７１】
第２頂部枠材１５ｂの水平部分３０を土台管１１ａの第２頂部分２２ｂの下方（下面）に配置し、第２頂部枠材１５ｂの垂直部分３１の外側（垂直部分３１の外面）を第１頂部枠材１５ａの折曲部分３２の内側（折曲部分３２の内面）に重ね、第２頂部分２２ｂと水平部分３０とに形成されたビス螺着孔を一致させるとともに、第２頂部枠材１５ｂの垂直部分３１と第１頂部枠材１５ａの折曲部分３２とに形成されたビス螺着孔を一致させ、それらビス螺着孔にビスを螺着して第２頂部枠材１５ｂを土台管１１ａの第２頂部分２２ｂに着脱可能に連結（設置）し、第２頂部枠材１５ｂの垂直部分３１を第１頂部枠材１５ａの折曲部分３２に着脱可能に連結（設置）する（頂部枠材設置工程）。第２頂部枠材１５ｂを第２頂部分２２ｂに連結すると、第２頂部枠材１５ｂの垂直部分３１が土台管１１ａの第２側壁２１ｂの頂部１４から上方に延びるとともに、第２頂部枠材１５ｂの折曲部分３２が第３側壁２１ｃの頂部１４から上方へ延びる。
【００７２】
第３頂部枠材１５ｃの水平部分３０を土台管１１ａの第３頂部分２２ｃの下方（下面）に配置し、第３頂部枠材１５ｃの垂直部分３１の外側（垂直部分３１の外面）を第２頂部枠材１５ｂの折曲部分３２の内側（折曲部分３２の内面）に重ね、第３頂部分２２ｃと水平部分３０とに形成されたビス螺着孔を一致させるとともに、第３頂部枠材１５ｃの垂直部分３１と第２頂部枠材１５ｂの折曲部分３２とに形成されたビス螺着孔を一致させ、それらビス螺着孔にビスを螺着して第３頂部枠材１５ｃを土台管１１ａの第３頂部分２２ｃに着脱可能に連結（設置）し、第３頂部枠材１５ｃの垂直部分３１を第２頂部枠材１５ｂの折曲部分３２に着脱可能に連結（設置）する（頂部枠材設置工程）。第３頂部枠材１５ｃを第３頂部分２２ｃに連結すると、第３頂部枠材１５ｃの垂直部分３１が土台管１１ａの第３側壁２１ｃの頂部１４から上方に延びるとともに、第３頂部枠材１５ｃの折曲部分３２が第４側壁２１ｄの頂部１４から上方へ延びる。
【００７３】
第４頂部枠材１５ｄの水平部分３０を土台管１１ａの第４頂部分２２ｄの下方（下面）に配置し、第４頂部枠材１５ｄの垂直部分３２の外側（垂直部分３２の外面）を第３頂部枠材１５ｃの折曲部分３２の内側（折曲部分３２の内面）に重ねるとともに、第４頂部枠材１５ｄの折曲部分３２の内側（折曲部分３２の内面）を第１頂部枠材１５ａの垂直部分３２の外側（垂直部分３２の外面）に重ねる。次に、第４頂部分２２ｄと水平部分３０とに形成されたビス螺着孔を一致させ、第４頂部枠材１５ｄの垂直部分３１と第３頂部枠材１５ｃの折曲部分３２とに形成されたビス螺着孔を一致させるとともに、第４頂部枠材１５ｄの折曲部分３２と第１頂部枠材１５ａの垂直部分３１とに形成されたビス螺着孔を一致させ、それらビス螺着孔にビスを螺着し、第４頂部枠材１５ｄを土台管１１ａの第４頂部分２２ｄに着脱可能に連結（設置）し、第４頂部枠材１５ｄの垂直部分３１を第３頂部枠材１５ｃの折曲部分３２に着脱可能に連結（設置）するとともに、第４頂部枠材１５ｄの折曲部分３２を第１頂部枠材１５ａの垂直部分３１に着脱可能に連結（設置）する（頂部枠材設置工程）。第４頂部枠材１５ｄを第４頂部分２２ｄに連結すると、第４頂部枠材１５ｄの垂直部分３１が土台管１１ａの第４側壁２１ｄの頂部１４から上方に延びるとともに、第４頂部枠材１５ｄの折曲部分３２が第１側壁２１ａの頂部１４から上方へ延びる。
【００７４】
第１〜第４頂部枠材１５ａ〜１５ｄを第１〜第４頂部分２２ａ〜２２ｄに連結した後、躯体３３に形成されたアンカーホールに新設鉄筋２０を固定し、土台管１１ａおよびそれら枠材１３，１５の内側スペース１７に新設鉄筋２０を配筋する。内側スペース１７に新設鉄筋２０を配筋した後、支持ボルト１９を設置する。それら支持ボルト１９は、図１０に示すように、頂部枠材１５の上に設置された２つのスペーサ３７と、それらスペーサ３７の上に設置されて支持ボルト１９を挿脱可能に設置するボルト位置決め枠３８（ボルト位置決め部材）とを利用して設置される。それらスペーサ３７は、第２頂部枠材１５ｂと第４頂部枠材１５ｄとの間に架け渡される所定厚みの板材である。ボルト位置決め枠３８にはそれら支持ボルト１９を挿脱可能に挿通する４つのボルト孔が形成され、それらボルト孔に支持ボルト１９が挿通されている。
【００７５】
それらスペーサ３７を第２頂部枠材１５ｂと第４頂部枠材１５ｄとの間に架け渡し、それらスペーサ３７を第２頂部枠材１５ｂと第４頂部枠材１５ｄとに固定手段（図示せず）によって着脱可能に固定し、ボルト位置決め枠３８をそれらスペーサ３７の上に固定手段（図示せず）によって着脱可能に固定する（支持ボルト設置工程）。ボルト位置決め枠３８は、土台管１１ａの中央に配置される。スペーサ３７とボルト位置決め枠３８とを設置すると、ボルト位置決め枠３８の直下にスペーサ３７が介在することで、ボルト位置決め枠３８が第１〜第４頂部枠材１５ａ〜１５ｄの上端から上方へ離間し、支持ボルト１９の螺子上部が第１〜第４頂部枠材１５ａ〜１５ｄの上端から上方へ露出し、支持ボルト１９の螺子下部が第１〜第４頂部枠材１５ａ〜１５ｄの上端から下方へ延びる。
【００７６】
土台管１１ａが据付箇所に固定され、底枠部材１３と頂部枠材１５とが土台管１１ａに設置されるとともに、スペーサ３７と支持ボルト１９を挿通したボルト位置決め枠２８とが頂部枠材１５に設置された後、新設断熱材３６と新設防水材１６（シート防水）とを設置する。据付箇所における第１〜第４底枠部材１３ａ〜１３ｄの外側の既設断熱材３４を取り除いた部分に新設断熱材３６を配置し、新設防水材１６を土台管１１ａの第１〜第４側壁２１ａ〜２１ｄの外面と第１〜第４底枠部材１３ａ〜１３ｄの外面とに設置する。さらに、新設防水材１６を第１〜第４底枠部材１３ａ〜１３ｄから径方向外方に延長して設置し、新設防水材１６によって第１〜第４底枠部材１３ａ〜１３ｄの周囲に設置された新設断熱材３６と第１〜第４底枠部材１３ａ〜１３ｄの周囲に位置する躯体３３とを被覆する（新設防水材設置工程）。
【００７７】
新設断熱材３６と新設防水材１６（シート防水）とを設置した後、図１１に示すように、土台管１１ａおよびそれら枠材１３，１５の内側スペース１７にコンクリート１８を打設する（セメント硬化物打設工程）。なお、内側スペース１７にコンクリート１８を打設した後、新設防水材１６（シート防水）と新設断熱材３６とを設置してもよい。
【００７８】
内側スペース１７にコンクリート１８を打設する過程において、第１および第３側壁２１ａ，２１ｃにコンクリート１８の側圧が作用し、それら側壁２１ａ，２１ｃの離間寸法（第１側壁２１ａと第３側壁２１ｃとの間の寸法）が変化した場合（離間寸法が大きくなった場合）、第１幅止めボルト２９ａによって第１および第３側壁２１ａ，２１ｃを近接させる方向へ力を作用させ、第１幅止めボルト２９ａによって第１および第３側壁２１ａ，２１ｃの離間寸法を微調整し、離間寸法を設計寸法に一致させる。また、内側スペース１７にコンクリート１８を打設する過程において、第２および第４側壁２１ｂ，２１ｄにコンクリート１８の側圧が作用し、それら側壁２１ｂ，２１ｄの離間寸法（第２側壁２１ｂと第４側壁２１ｄとの間の寸法）が変化した場合（離間寸法が大きくなった場合）、第２幅止めボルト２９ｂによって第２および第４側壁２１ｂ，２１ｄを近接させる方向へ力を作用させ、第２幅止めボルト２９ｂによって第２および第４側壁２１ｂ，２１ｄの離間寸法を微調整し、離間寸法を設計寸法に一致させる。
【００７９】
コンクリート１８を打設した後、コンクリート１８を所定期間養生する。コンクリート１８の養生期間が経過した後、ボルト位置決め枠３８をスペーサ３７から取り外して支持ボルト１９からボルト位置決め枠３８を抜き取り、スペーサ３７を頂部枠材１５から取り外すとともに、第１〜第４頂部枠材１５ａ〜１５ｄを土台管１１ａの第１〜第４頂部分２２ａ〜２２ｄから取り外す。次に、土台管１１ａの頂部１４から上方へ露出するコンクリート１８の頂面と側面とに新設防水材（ウレタン防水）（図示せず）を設置し、図１に示す据付基礎構造物１０Ａが完成する。
【００８０】
図１２は、他の一例として示す据付基礎構造物１０Ｂの斜視図であり、図１３は、図１２の据付基礎構造物１０Ｂの断面図である。図１４は、土台管１１ｂおよび底部枠材１３の斜視図であり、図１５は、据付箇所に土台管１１ｂを設置した後の断面図である。図１６は、土台管１１ｂに底枠部材１３を設置した後の断面図であり、図１７は、土台管１１ｂに頂部枠材１５を設置した後の断面図である。図１８は、新設断熱材３６と新設防水材１６とシンダーコンクリート４１とを設置し、頂部枠材１５にスペーサ３７とボルト位置決め枠３８とを設置した後の断面図であり、図１９は、土台管１１ｂおよび枠材１３，１５の内側スペース１７にコンクリート１８を打設した後の断面図である。図１２では、上下方向を矢印Ｘ１、横方向（径方向）を矢印Ｘ２で示し、前後方向（径方向）を矢印Ｘ３で示す。
【００８１】
この据付基礎構造物１０Ｂが図１のそれと異なるところは、第３および第４変形防止材２５ｃ，２５ｄが第１〜第４側壁２１ａ〜２１ｄに設置されている点、第１〜第４側壁２１ａ〜２１ｄと第１〜第４底部枠材１３ａ〜１３ｄとの外側に化粧板４０が設置されている点にある。据付基礎構造物１０Ｂのその他の構成については図１の据付基礎構造物１０Ａのそれらと同一であるから、図１と同一の符号を付すとともに、図１の据付基礎構造物１０Ａの説明を援用することで、この据付基礎構造物１０Ｂのその他の構成の詳細な説明は省略する。
【００８２】
据付基礎構造物１０Ｂは、既設のビル（既設建造物）の屋上や地下の既設シンダーコンクリート３９と既設断熱材３４と既設防水材３５とを取り除いた躯体３３（鉄筋コンクリート躯体）の所定の据付箇所に据え付けられる。据付基礎構造物１０Ｂは、土台管１１ｂと、土台管１１ｂの底部１２に固定された底部枠材１３と、土台管１１ａの頂部１４に着脱可能に設置された頂部枠材１５と、土台管１１ｂと底部枠材１３との外周面全域に設置された新設防水材１６と、内側スペース１７に打設されたコンクリート１８（セメント硬化物）と、コンクリート１８に設置された支持ボルト１９と、土台管１１ｂの周囲を囲む化粧板４０とから形成されている。内側スペース１７には、新設鉄筋２０が配筋されている。
【００８３】
据付基礎構造物１０Ｂは、製造工場において大量生産された土台管１１ｂや底部枠材１３、頂部枠材１５、支持ボルト１９、化粧板４０を使用して所定のマニュアル化された手順によって組み立てられる。土台管１１ｂは、第１〜第４側壁２１ａ〜２１ｄと頂部分２２と底部分２３と調整ボルト２４と変形防止材２５とを有する。第１〜第４側壁２１ａ〜２１ｄは、図１の据付基礎構造物１０Ａのそれらと同一である。
【００８４】
頂部分２２は、第１〜第４側壁２１ａ〜２１ｄの頂部１４から径方向外方に延びている。頂部分２２は、第１〜第４頂部分２２ａ〜２２ｄから形成されている。底部分２３は、第１〜第４側壁２１ａ〜２１ｄの底部１２から径方向内方に延びている。底部分２３は、第１〜第４底部分２３ａ〜２３ｄから形成されている。調整ボルト２４は、躯体３３に対する土台管１１ａの高さおよび傾きを調整するとともに、土台管１１ａを躯体３３に強固に固定する。調整ボルト２４は、第１〜第４調整ボルト２４ａ〜２４ｄから形成されている。第１〜第４調整ボルト２４ａ〜２４ｄには六角ナット２６が螺着され、それらの軸が躯体３３のボルト孔に螺着されている。
【００８５】
変形防止材２５は、土台管１１ｂの中央部２７における第１および第３側壁２１ａ，２１ｃの内壁面に固定されて第１および第３側壁２１ａ，２１ｃの間に延びる第１変形防止材２５ａと、土台管１１ｂの中央部２７における第２および第４側壁２１ｂ，２１ｄの内壁面に固定されて第２および第４側壁２１ｂ，２１ｄの間に延びる第２変形防止材２５ｂと、土台管１１ｂの頂部１４における第１および第３側壁２１ａ，２１ｃの内壁面に固定されて第１および第３側壁２１ａ，２１ｃの間に延びる第３変形防止材２５ｃと、土台管１１ｂの頂部１４における第２および第４側壁２１ｂ，２１ｄの内壁面に固定されて第２および第４側壁２１ｂ，２１ｄの間に延びる第４変形防止材２５ｄとから形成されている（図１４参照）。
【００８６】
第１変形防止材２５ａは、土台管１１ｂの中央部２７における第１および第３側壁２１ａ，２１ｃの内壁面に固定された第１長ナット２８ａと、それら長ナット２８ａに螺着された第１幅止めボルト２９ａとから形成されている。第２変形防止材２５ｂは、土台管１１ｂの中央部２７における第２および第４側壁２１ｂ，２１ｄの内壁面に固定された第２長ナット２８ｂと、それら長ナット２８ｂに螺着された第２幅止めボルト２９ｂとから形成されている。
【００８７】
第３変形防止材２５ｃは、土台管１１ｂの頂部１４における第１および第３側壁２１ａ，２１ｃの内壁面に固定された第３長ナット２８ｃと、それら長ナット２８ｃに螺着された第３幅止めボルト２９ｃとから形成されている。第３幅止めボルト２９ｃは、土台管１１ｂの頂部１４における第１および第３側壁２１ａ，２１ｃの間に延びており、第１および第３側壁２１ａ，２１ｃを繋いでいる。第３変形防止材２５ｃは、土台管１１ｂの内側スペース１７に打設されたコンクリート１８の側圧による第１および第３側壁２１ａ，２１ｃの変形を防止する。なお、第３幅止めボルト２９ｃを時計回り方向または反時計回り方向に回転させることで、第１および第３側壁２１ａ，２１ｃを離間させる方向または近接させる方向へ力を作用させ、第３幅止めボルト２９ｃによって第１および第３側壁２１ａ，２１ｃの離間寸法を設計寸法に微調整する。
【００８８】
第４変形防止材２５ｄは、土台管１１ａの頂部１４における第２および第４側壁２１ｂ，２１ｄの内壁面に固定された第４長ナット２８ｄと、それら長ナット２８ｄに螺着された第４幅止めボルト２９ｄとから形成されている。第４幅止めボルト２９ｄは、土台管１１ｂの頂部１４における第２および第４側壁２１ｂ，２１ｄの間に延びており、第２および第４側壁２１ｂ，２１ｄを繋いでいる。第４変形防止材２５ｄは、土台管１１ｂの内側スペース１７に打設されたコンクリート１８の側圧による第２および第４側壁２１ｂ，２１ｄの変形を防止する。なお、第４幅止めボルト２９ｄを時計回り方向または反時計回り方向に回転させることで、第２および第４側壁２１ｂ，２１ｄを離間させる方向または近接させる方向へ力を作用させ、第４幅止めボルト２９ｄによって第２および第４側壁２１ｂ，２１ｄの離間寸法を設計寸法に微調整する。第３および第４長ナット２８ｃ，２８ｄや第３および第４幅止めボルト２９ｃ，２９ｄは、鋼材やアルミ、鉄、合金等の金属、または、合成樹脂から作られている。
【００８９】
底部枠材１３は、第１〜第４底部枠材１３ａ〜１３ｄから形成されている。第１〜第４底部枠材１３ａ〜１３ｄは、第１〜第４側壁２１ａ〜２１ｄと躯体３３との間の間隙を塞いでいる。頂部枠材１５は、第１〜第４頂部枠材１５ａ〜１５ｄから形成されている。第１〜第４頂部枠材１５ａ〜１５ｄは、第１〜第４側壁２１ａ〜２１ｄの頂部１４から径方向外方へ延びる水平部分３０と、水平部分３０の延出端から上方へ延びる垂直部分３１と、垂直部分３１の延出端から直角に折れ曲がる折曲部分３２とを有する。第１〜第４頂部枠材１５ａ〜１５ｄは、第１〜第４頂部分２２ａ〜２２ｄに着脱可能に連結（設置）されている。
【００９０】
新設防水材１６は、アスファルト防水が利用されている。新設防水材１６は、土台管１１ｂの第１〜第４頂部分２２ａ〜２２ｄの外面と第１〜第４側壁２１ａ〜２１ｄの外面と第１〜第４底部枠材１３ａ〜１３ｄの外面とに設置されているとともに、第１〜第４底部枠材１３ａ〜１３ｄから径方向外方に延長され、既設防水材３６の上に重なっている。新設防水材１６の上には、新設断熱材３６が設置され、新設断熱材３６の上には、新設シンダーコンクリート４１が打設されている。支持ボルト１９は、雄螺子が作られてコンクリート１８から上方へ露出する螺子上部と、コンクリート１８に固定された螺子下部とを有する。化粧板４０は、第１〜第４側壁２１ａ〜２１ｄと第１〜第４底部枠材１３ａ〜１３ｄとの外側に配置され、その上部がコンクリート１８に固定され、その下部が新設シンダーコンクリート４１に固定されている。
【００９１】
据付基礎構造物１０Ｂを据え付けるビルの屋上は、躯体３３（鉄筋コンクリート躯体）と、躯体３３の上に施設された（重なる）既設防水材３５と、既設防水材３５の上に施設された（重なる）既設断熱材３４と、既設断熱材３４の上に施設された（重なる）既設シンダーコンクリート３９とから形成されている。据付基礎構造物１０Ｂの据付手順は図１の据付基礎構造物１０Ａのそれと略同一であるから、据付基礎構造物１０Ｂの据付手順の詳細な説明は省略する。最初に、ビルの屋上における据付基礎構造物１０Ｂの据付箇所を位置決め（墨出し）し、据付箇所にマーキングをした後、その据付箇所において、既設シンダーコンクリート３９と既設断熱材３４と既設防水材３５とを取り除き（はつり）、躯体３３を露出させる（据付準備工程）。
【００９２】
躯体３３を露出させた後、躯体３３の各既設鉄筋を避けた位置に新設鉄筋２０を固定するアンカーホールを穿孔するとともに、第１〜第４調節ボルト２４ａ〜２４ｄを螺着するボルト孔を穿孔し、据付箇所における躯体３３の土台管設置位置に土台管１１ｂを載置する。次に、第１〜第４調節ボルト２４ａ〜２４ｄの軸を躯体３３に形成されたボルト孔に螺着し、土台管１１ｂを躯体３３に固定する（土台管固定工程）。土台管１１ｂを躯体３３に固定した後、第１〜第４調節ボルト２４ａ〜２４ｄの軸に対する六角ナット２６の螺着位置を調節して第１〜第４側壁２１ａ〜２１ｄ（土台管１１ｂ）の高さおよび傾きを調節する（高さ・傾き調節工程）。
【００９３】
躯体３３に対する土台管１１ｂの高さおよび傾きを調節した後、第１〜第４側壁２１ａ〜２１ｄの内壁面に固定（溶接）された第１および第２長ナット２８ａ，２８ｂに第１および第２幅止めボルト２９ａ，２９ｂを螺着する。さらに、第１〜第４側壁２１ａ〜２１ｄの内壁面に固定（溶接）された第３および第４長ナット２８ｃ，２８ｄに第３および第４幅止めボルト２９ｃ，２９ｄを螺着する。第１および第２幅止めボルト２９ａ，２９ｂによって第１側壁２１ａと第３側壁２１ｃとを連結するとともに、第３および第４幅止めボルト２９ｃ，１９ｄによって第２側壁２１ｂと第４側壁２１ｄとを連結する（変形防止材設置工程）。
【００９４】
なお、変形防止材設置工程では、第１および第３側壁２１ａ，２１ｃの離間寸法が設計寸法と微妙に異なる場合、第１および第３幅止めボルト２９ａ，２９ｃを時計回り方向または反時計回り方向に回転させ、第１および第３側壁２１ａ，２１ｃを離間させる方向または近接させる方向へ力を作用させ、第１および第３幅止めボルト２９ａ，２９ｃによって第１および第３側壁２１ａ，２１ｃの離間寸法を微調整し、離間寸法を設計寸法に一致させる。また、第２および第４側壁２１ｂ，２１ｄの離間寸法が設計寸法と微妙に異なる場合、第２および第４幅止めボルト２９ｂ，２９ｄを時計回り方向または反時計回り方向に回転させ、第２および第４側壁２１ｂ，２１ｄを離間させる方向または近接させる方向へ力を作用させ、第２および第４幅止めボルト２９ｂ，２９ｄによって第２および第４側壁２１ｂ，２１ｄの離間寸法を微調整し、離間寸法を設計寸法に一致させる。
【００９５】
次に、第１〜第４側壁２１ａ〜２１ｄの底部１２における外面に第１〜第４底部枠材１３ａ〜１３ｄを配置し、第１〜第４側壁２１ａ〜２１ｄに第１〜第４底部枠材１３ａ〜１３ｄを固定する（底部枠材設置工程）。第１〜第４側壁２１ａ〜２１ｄに第１〜第４底部枠材１３ａ〜１３ｄを固定すると、第１〜第４側壁２１ａ〜２１ｄと躯体３３との間の間隙が塞がれる。土台管１１ａの各側壁２１ａ〜２１ｄにそれら底部枠材１３ａ〜１３ｄを固定した後、第１〜第４頂部枠材１５ａ〜１５ｄの水平部分３０を土台管１１ｂの第１〜第４頂部分２２ａ〜２２ｄの下方（下面）に配置し、第１〜第４頂部枠材１５ａ〜１５ｄを第１〜第４頂部分２２ａ〜２２ｄに着脱可能に連結（設置）する（頂部枠材設置工程）。
【００９６】
第１〜第４頂部枠材１５ａ〜１５ｄを第１〜第４頂部分２２ａ〜２２ｄに連結した後、内側スペース１７に新設鉄筋２０を配筋する。内側スペース１７に新設鉄筋２０を配筋した後、支持ボルト１９を設置する。スペーサ３７を第２頂部枠材１５ｂと第４頂部枠材１５ｄとの間に架け渡し、それらスペーサ３７を第２頂部枠材１５ｂと第４頂部枠材１５ｄとに固定手段によって着脱可能に固定し、ボルト位置決め枠３８をそれらスペーサ３７の上に固定手段によって着脱可能に固定する（支持ボルト設置工程）。
【００９７】
土台管１１ｂが据付箇所に固定され、底枠部材１３と頂部枠材１５とが土台管１１ｂに設置されるとともに、スペーサ３７と支持ボルト１９を挿通したボルト位置決め枠２８とが頂部枠材１５に設置された後、新設防水材１６（アスファルト防水）と新設断熱材３６とを設置し、新設シンダーコンクリート４１を打設する。新設防水材１６を土台管１１ｂの第１〜第４側壁２１ａ〜２１ｄの外面と第１〜第４底枠部材１３ａ〜１３ｄの外面とに設置するとともに、新設防水材１６を第１〜第４底枠部材１３ａ〜１３ｄから径方向外方に延長して新設防水材１６を既設防水材３５の上に設置する（重ねる）（新設防水材設置工程）。既設防水材３５の上に重なる新設防水材１６の上に新設断熱材３６を設置（重ね）し、新設断熱材３６の上に新設シンダーコンクリート４１を打設する。
【００９８】
新設防水材１６（アスファルト防水）と新設断熱材３６とを設置し、新設シンダーコンクリート４１を打設した後、図１１に示すように、土台管１１ｂおよびそれら枠材１３，１５の内側スペース１７にコンクリート１８を打設する（コンクリート打設工程）。なお、内側スペース１７にコンクリート１８を打設した後、新設防水材１６（アスファルト防水）と新設断熱材３６とを設置してもよい。
【００９９】
内側スペース１７にコンクリート１８を打設する過程において、第１および第３側壁２１ａ，２１ｃにコンクリート１８の側圧が作用し、それら側壁２１ａ，２１ｃの離間寸法が変化した場合（離間寸法が大きくなった場合）、第１および第３幅止めボルト２９ａ，２９ｃのうちの少なくとの一方によって第１および第３側壁２１ａ，２１ｃを近接させる方向へ力を作用させ、第１および第３幅止めボルト２９ａ，２９ｃによって第１および第３側壁２１ａ，２１ｃの離間寸法を微調整し、離間寸法を設計寸法に一致させる。また、内側スペース１７にコンクリート１８を打設する過程において、第２および第４側壁２１ｂ，２１ｄにコンクリート１８の側圧が作用し、それら側壁２１ｂ，２１ｄの離間寸法が変化した場合（離間寸法が大きくなった場合）、第２および第４幅止めボルト２９ｂ，２９ｄのうちの少なくとの一方によって第２および第４側壁２１ｂ，２１ｄを近接させる方向へ力を作用させ、第２および第４幅止めボルト２９ｂ，２９ｄによって第２および第４側壁２１ｂ，２１ｄの離間寸法を微調整し、離間寸法を設計寸法に一致させる。
【０１００】
コンクリート１８を打設した後、コンクリート１８と新設シンダーコンクリート４１とを所定期間養生し、養生期間が経過した後、ボルト位置決め枠３８をスペーサ３７から取り外して支持ボルト１９からボルト位置決め枠３８を抜き取り、スペーサ３７を頂部枠材１５から取り外すとともに、第１〜第４頂部枠材１５ａ〜１５ｄを土台管１１ｂの第１〜第４頂部分２２ａ〜２２ｄから取り外す。次に、土台管１１ｂの頂部１４から上方へ露出するコンクリート１８の頂面と側面とに新設防水材（ウレタン防水）（図示せず）を設置する。さらに、第１〜第４側壁２１ａ〜２１ｄと第１〜第４底部枠材１３ａ〜１３ｄとの外側に化粧板４０を配置し、化粧板４０の上部をコンクリート１８に固定し、化粧板４０の下部を新設シンダーコンクリート４１に固定することで、図１２に示す据付基礎構造物１０Ｂが完成する。
【０１０１】
据付基礎構造物１０Ａおよび据付基礎構造物１０Ｂは、それが土台管１１ａ，１１ｂと底部枠材１３と頂部枠材１５と新設防水材１６とコンクリート１８（セメント硬化物）と支持ボルト１９とから形成され、土台管１１ａ，１１ｂ（調整ボルト２４、長ナット２８ａ〜２８ｄ、幅止めボルト２９ａ〜２９ｄを含む。）や底部枠材１３、頂部枠材１５、支持ボルト１９が製造工場においてあらかじめ製造されて汎用部品化（規格化）されており、既設建造物の躯体３３の据付箇所においてマニュアル化された手順に従ってユニットとして組み立てられるから、据付基礎構造物１０Ａや据付基礎構造物１０Ｂを据え付ける際に、その現場において型枠を組み上げる必要や型枠を解体する必要はなく、据付箇所に土台管１１ａ，１１ｂを設置しつつ土台管１１ａ，１１Ｂに底部枠材１３や頂部枠材１５を設置し、内側スペース１７にコンクリート１８を打設するだけで据付基礎構造物１０Ａや据付基礎構造物１０Ｂを据え付けることができ、型枠の組立や型枠の解体にかかる手間や時間、コストを省くことができる。
【０１０２】
据付基礎構造物１０Ａおよび据付基礎構造物１０Ｂは、それらの据付作業を簡略化することができるのみならず、コンクリート１８（セメント硬化物）の養生期間を待つことなく、新設防水材１６を設置する新設防水材設置作業、または、新設シンダーコンクリート４１を打設するシンダーコンクリート打設作業まで進めることができ、コンクリート１８の養生期間を待つことなく据付基礎構造物１０Ａ，１０Ｂの据付作業が完了するから、据付基礎構造物１０Ａ，１０Ｂの据付時間にセメント硬化物の養生期間が入らず、据付箇所に複数の据付基礎構造物１０Ａや据付基礎構造物１０Ｂを迅速に据え付けることができ、据付基礎構造物１０Ａや据付基礎構造物１０Ｂの工期を大幅に短縮することができる。据付基礎構造物１０Ａおよび据付基礎構造物１０Ｂは、それらの工期を大幅に短縮することができ、据付基礎構造物１０Ａ，１０Ｂの構築にかかる人件費を大幅に低減することができるから、据付基礎構造物１０Ａ，１０Ｂの据付にかかるコストを低下させることができ、据付基礎構造物１０Ａ，１０Ｂを廉価に構築することができる。据付基礎構造物１０Ａおよび据付基礎構造物１０Ｂは、施工現場の据付箇所において型枠を組み上げる必要はなく、マニュアル化された手順に従ってそれらを組み立てることができるから、型枠工の技術がない作業者でも据付基礎構造物１０Ａ，１０Ｂを容易に構築することができる。
【０１０３】
据付基礎構造物１０Ａおよび据付基礎構造物１０Ｂは、第１〜第４底部分２３ａ〜２３ｄに形成されたボルト孔と躯体３３に形成されたボルト孔とに第１〜第４調整ボルト２４ａ〜２４ｄが設置され、それら調整ボルト２４ａ〜２４ｄによって土台管１１ａ，１１ｂが躯体３３に固定されるとともに、コンクリート１８の養生期間が経過した後にそれら調整ボルト２４ａ〜２４ｄや長ナット２８ａ〜２８ｄ、幅止めボルト２９ａ〜２９ｄ、新設鉄筋２０がコンクリート１８と一体になり、据付基礎構造物１０Ａや据付基礎構造物１０Ｂにかかる荷重を調整ボルト２４ａ〜２４ｄや長ナット２８ａ〜２８ｄ、幅止めボルト２９ａ〜２９ｄ、新設鉄筋２０、コンクリート１８で分担するから、既設建造物の躯体３３の所定の据付箇所に強固に据え付けることができ、ソーラーパネルやアンテナ、貯水槽、浄化槽、空調機器等の重量のある機械器具、鉄塔や鉄骨柱、鉄骨建設物等の重量のある建築物を確実に支持することができる。据付基礎構造物１０Ａおよび据付基礎構造物１０Ｂは、コンクリート１８から上方へ露出する支持ボルト１９の螺子上部にソーラーパネルやアンテナ、貯水槽、浄化槽、空調機器等の重量のある機械器具、鉄塔や鉄骨柱、鉄骨建設物等の重量のある建築物を強固に固定することができ、支持ボルト１９を利用することでそれらの機械器具やそれら建築物を強固に備え付けることができる。
【０１０４】
据付基礎構造物１０Ａおよび据付基礎構造物１０Ｂは、内側スペース１７に打設されたコンクリート１８の側圧が第１〜第４側壁２１ａ〜２１ｄに作用したとしても、土台管１１ａ，１１ｂに設置された第１〜第４変形防止材２５ａ〜２５ｄ（第１〜第４長ナット２８ａ〜２８ｄ、第１〜第４幅止めボルト２９ａ〜２９ｄ）がコンクリート１８の側圧による第１〜第４側壁２１ａ〜２１ｄの変形を防止するから、第１〜第４側壁２１ａ〜２１ｄが変形した形状が歪な据付基礎構造物が作られることはなく、据付箇所に構造計算（強度計算）された設計どおりの据付基礎構造物１０Ａや据付基礎構造物１０Ｂを構築することができる。
【０１０５】
据付基礎構造物１０Ａは、内側スペース１７にコンクリート１８を打設する前に、第１幅止めボルト２９ａによって第１および第３側壁２１ａ，２１ｃの離間寸法が微調整され、第２幅止めボルト２９ｂによって第２および第４側壁２１ｂ，２１ｄの離間寸法が微調整されるから、第１および第３側壁２１ａ，２１ｃの離間寸法や第２および第４側壁２１ｂ，２１ｄの離間寸法が設計寸法と微妙に異なっていたとしても、それら側壁２１ａ〜２１ｄの離間寸法を設計寸法に一致させることができ、設計寸法どおりの据付基礎構造物を構築することができる。
【０１０６】
据付基礎構造物１０Ｂは、内側スペース１７にコンクリート１８を打設する前に、第１および第３幅止めボルト２９ａ，２９ｃのうちの少なくとも一方によって第１および第３側壁２１ａ，２１ｃの離間寸法が微調整され、第２および第４幅止めボルト２９ｂ，２９ｄのうちの少なくとも一方によって第２および第４側壁２１ｂ，２１ｄの離間寸法が微調整されるから、第１および第３側壁２１ａ，２１ｃの離間寸法や第２および第４側壁２１ｂ，２１ｄの離間寸法が設計寸法と微妙に異なっていたとしても、それら側壁２１ａ〜２１ｄの離間寸法を設計寸法に一致させることができ、設計寸法どおりの据付基礎構造物を構築することができる。
【０１０７】
据付基礎構造物１０Ａは、内側スペース１７にコンクリート１８を打設する過程において、第１〜第４側壁２１ａ〜２１ｄにコンクリート１８の側圧が作用し、それら側壁２１ａ〜２１ｄの離間寸法が変化したとしても、第１幅止めボルト２９ａによって第１および第３側壁２１ａ，２１ｃの離間寸法を微調整することができ、第２幅止めボルト２９ｂによって第２および第４側壁２１ｂ．２１ｄの離間寸法を微調整することができるから、それら側壁２１ａ〜２１ｄの離間寸法を設計寸法に一致させることができ、設計寸法どおりの据付基礎構造物１０Ａを構築することができる。
【０１０８】
据付基礎構造物１０Ｂは、内側スペース１７にコンクリート１８を打設する過程において、第１〜第４側壁２１ａ〜２１ｄにコンクリート１８の側圧が作用し、それら側壁２１ａ〜２１ｄの離間寸法が変化したとしても、第１および第３幅止めボルト２９ａ，２９ｃのうちの少なくとも一方によって第１および第３側壁２１ａ，２１ｃの離間寸法を微調整することができ、第２および第４幅止めボルト２９ｂ，２９ｄのうちの少なくとも一方によって第２および第４側壁２１ｂ．２１ｄの離間寸法を微調整することができるから、それら側壁２１ａ〜２１ｄの離間寸法を設計寸法に一致させることができ、設計寸法どおりの据付基礎構造物１０Ｂを構築することができる。
【０１０９】
据付基礎構造物１０Ａおよび据付基礎構造物１０Ｂは、躯体３３に対する土台管１１ａ，１１ｂの高さおよび傾きを第１〜第４調整ボルト２４ａ〜２４ｄによって調整することができるから、据付箇所が傾斜していてとしても、据付箇所に対して土台管１１ａ，１１ｂを水平に設置することができるとともに、複数個の据付基礎構造物１０Ａや複数個の据付基礎構造物１０Ｂを設置する場合に、それら据付基礎構造物１０Ａどうしの高さ寸法やそれら据付基礎構造物１０Ｂどうしの高さ寸法を容易に調節することができ、それら据付基礎構造物１０Ａの高さ寸法を均一に揃えることができるとともに、それら据付基礎構造物１０Ｂの高さ寸法を均一に揃えることができる。
【０１１０】
据付基礎構造物１０Ａおよび据付基礎構造物１０Ｂは、それが既設建造物の屋上に据え付けられた場合でも、底部枠材１３ａ〜１３ｄの周囲に位置する躯体３３が新設防水材１６に被覆されるから、土台管１１ａ，１１ｂや底部枠材１３、躯体３３への水の侵入を防ぐことができ、土台管１１ａ，１１ｂや底部枠材１３に水が進入することによる土台管１１ａ，１１ｂや底部枠材１３の腐食や強度低下を防ぐことができ、躯体３３に水が進入することによる躯体３３の劣化を防ぐことができる。
【０１１１】
図２０は、他の一例として示す据付基礎構造物１０Ｃの断面図であり、図２１は、土台管１１ｃおよび第１〜第４底部枠材１３ａ〜１３ｄの斜視図である。図２２は、図２１の上面図であり、図２３は、据付箇所に土台管１１ｃを設置するとともに、土台管１１ｃに底枠部材１３を設置した後の断面図である。図２４は、新設断熱材３６と新設防水材１６とを設置し、頂部分４１にスペーサ３７とボルト位置決め枠３８とを設置した後の断面図であり、図２５は、図２４の上面図である。
【０１１２】
この据付基礎構造物１０Ｃが図１のそれと異なるところは、土台管１１ｃに頂部枠材１５が設置されておらず、土台管１１ｃが頂部枠材１５の替わりの頂部分４１を有する点、第１〜第４側壁２１ａ〜２１ｄと第１〜第４底部枠材１３ａ〜１３ｄとの外側に化粧板４０が設置されている点にある。据付基礎構造物１０Ｃのその他の構成については図１の据付基礎構造物１０Ａのそれらと同一であるから、図１と同一の符号を付すとともに、図１の据付基礎構造物１０Ａの説明を援用することで、この据付基礎構造物１０Ｃのその他の構成の詳細な説明は省略する。
【０１１３】
据付基礎構造物１０Ｃは、既設のビル（既設建造物）の屋上や地下の既設防水材３５と既設断熱材３４とを取り除いた躯体３３（鉄筋コンクリート躯体）の所定の据付箇所に据え付けられている。据付基礎構造物１０Ｃは、土台管１１ｃと、土台管１１ｃの底部１２に固定された底部枠材１３と、土台管１１ｃと底部枠材１３との外周面全域に設置された新設防水材１６と、内側スペース１７に打設されたコンクリート１８（セメント硬化物）と、コンクリート１８に設置された支持ボルト１９と、土台管１１ｃの周囲を囲む化粧板４０とから形成されている。内側スペース１７には、新設鉄筋２０が配筋されている。
【０１１４】
据付基礎構造物１０Ｃは、製造工場において大量生産された土台管１１ｃや底部枠材１３、支持ボルト１９、化粧板４０を使用して所定のマニュアル化された手順によって組み立てられる。土台管１１ｃは、第１〜第４側壁２１ａ〜２１ｄと頂部分４１と底部分２３と調整ボルト２４と変形防止材２５とを有する。第１〜第４側壁２１ａ〜２１ｄは、図１の据付基礎構造物１０Ａのそれらと同一である。
【０１１５】
頂部分４１は、第１〜第４側壁２１ａ〜２１ｄの頂部１４から径方向外方に延びた後、上方に延びている。頂部分４１は、第１〜第４頂部分４１ａ〜４１ｄから形成されている。第１頂部分４１ａは、第１側壁２１ａの頂部１４に連接（溶接）されて頂部１４から径方向外方へ延びる水平部分４２と、水平部分４２の延出端から上方へ延びる垂直部分４３とを有する。第２頂部分４１ｂは、第２側壁２１ｂの頂部１４に連接（溶接）されて頂部１４から径方向外方へ延びる水平部分４２と、水平部分４２の延出端から上方へ延びる垂直部分４３とを有する。第３頂部分４１ｃは、第３側壁２１ｃの頂部１４に連接（溶接）されて頂部１４から径方向外方へ延びる水平部分４２と、水平部分４２の延出端から上方へ延びる垂直部分４３とを有する。第４頂部分４１ｄは、第４側壁２１ｄの頂部１４に連接（溶接）されて頂部１４から径方向外方へ延びる水平部分４２と、水平部分４２の延出端から上方へ延びる垂直部分４３とを有する。
【０１１６】
底部分２３は、第１〜第４側壁２１ａ〜２１ｄの底部１２から径方向内方に延びている。底部分２３は、第１〜第４底部分２３ａ〜２３ｄから形成されている。調整ボルト２４は、躯体３３に対する土台管１１ｃの高さおよび傾きを調整するとともに、土台管１１ｃを躯体３３に強固に固定する。調整ボルト２４は、第１〜第４調整ボルト２４ａ〜２４ｄから形成されている。第１〜第４調整ボルト２４ａ〜２４ｄには六角ナット２６が螺着され、それらの軸が躯体３３のボルト孔に螺着されている。
【０１１７】
変形防止材２５は、土台管１１ｃの中央部２７における第１および第３側壁２１ａ，２１ｃの内壁面に固定されて第１および第３側壁２１ａ，２１ｃの間に延びる第１変形防止材２５ａと、土台管１１ｃの中央部２７における第２および第４側壁２１ｂ，２１ｄの内壁面に固定されて第２および第４側壁２１ｂ，２１ｄの間に延びる第２変形防止材２５ｂとから形成されている。第１変形防止材２５ａは、土台管１１ｃの中央部２７における第１および第３側壁２１ａ，２１ｃの内壁面に固定された第１長ナット２８ａと、それら長ナット２８ａに螺着された第１幅止めボルト２９ａとから形成されている。第２変形防止材２５ｂは、土台管１１ｃの中央部２７における第２および第４側壁２１ｂ，２１ｄの内壁面に固定された第２長ナット２８ｂと、それら長ナット２８ｂに螺着された第２幅止めボルト２９ｂとから形成されている。
【０１１８】
底部枠材１３は、第１〜第４底部枠材１３ａ〜１３ｄから形成されている。第１〜第４底部枠材１３ａ〜１３ｄは、第１〜第４側壁２１ａ〜２１ｄと躯体３３との間の間隙を塞いでいる。新設防水材１６は、シート防水が利用されている。新設防水材１６は、土台管１１ｃの第１〜第４側壁２１ａ〜２１ｄの外面と第１〜第４底枠部材２３ａ〜２３ｄの外面とに設置されているとともに、第１〜第４底枠部材２３ａ〜２３ｄから径方向外方に延長され、それら底部枠材２３ａ〜２３ｄの周囲に設置された新設断熱材とそれら底部枠材２３ａ〜２３ｄの周囲に位置する躯体３３とを被覆している。
【０１１９】
支持ボルト１９は、雄螺子が作られてコンクリート１８から上方へ露出する螺子上部と、コンクリート１８に固定された螺子下部とを有する。化粧板４０は、第１〜第４側壁２１ａ〜２１ｄと第１〜第４底部枠材１３ａ〜１３ｄとの外側に配置され、その上部が土台管１１ｃの第１〜第４頂部分４１ａ〜４１ｄに固定され、その下部が新設防水材１６に固定されている。
【０１２０】
据付基礎構造物１０Ｃの据付手順は図１の据付基礎構造物１０Ａのそれと略同一であるから、据付基礎構造物１０Ｃの据付手順の詳細な説明は省略する。最初に、ビルの屋上における据付基礎構造物１０Ｃの据付箇所を位置決めし（墨出し）、位置決めした据付箇所にマーキングをした後、その据付箇所において、既設防水材３５と既設断熱材３４とを取り除き（はつり）、躯体３３を露出させる（据付準備工程）。
【０１２１】
躯体３３を露出させた後、躯体３３の各既設鉄筋を避けた位置に新設鉄筋２０を固定するアンカーホールを穿孔するとともに、第１〜第４調節ボルト２４ａ〜２４ｄを螺着するボルト孔を穿孔し、据付箇所における躯体３３の土台管設置位置に土台管１１ｃを載置する。次に、第１〜第４調節ボルト２４ａ〜２４ｄの軸を躯体３３に形成されたボルト孔に螺着し、土台管１１ｃを躯体３３に固定する（土台管固定工程）。土台管１１ｃを躯体３３に固定した後、第１〜第４調節ボルト２４ａ〜２４ｄの軸に対する六角ナット２６の螺着位置を調節して第１〜第４側壁２１ａ〜２１ｄ（土台管１１ｃ）の高さおよび傾きを調節する（高さ・傾き調節工程）。躯体３３に対する土台管１１ｃの高さおよび傾きを調節した後、第１〜第４側壁２１ａ〜２１ｄの内壁面に固定（溶接）された第１および第２長ナット２８ａ，２８ｂに第１および第２幅止めボルト２９ａ，２９ｂを螺着し、第１および第２幅止めボルト２９ａ，２９ｂによって第１側壁２１ａと第３側壁２１ｃとを連結する（変形防止材設置工程）。
【０１２２】
変形防止材設置工程では、第１および第３側壁２１ａ，２１ｃの離間寸法が設計寸法と微妙に異なる場合、第１幅止めボルト２９ａを時計回り方向または反時計回り方向に回転させ、第１および第３側壁２１ａ，２１ｃを離間させる方向または近接させる方向へ力を作用させ、第１幅止めボルト２９ａによって第１および第３側壁２１ａ，２１ｃの離間寸法を微調整し、離間寸法を設計寸法に一致させる。また、第２および第４側壁２１ｂ，２１ｄの離間寸法が設計寸法と微妙に異なる場合、第２幅止めボルト２９ｂを時計回り方向または反時計回り方向に回転させ、第２および第４側壁２１ｂ，２１ｄを離間させる方向または近接させる方向へ力を作用させ、第２幅止めボルト２９ｂによって第２および第４側壁２１ｂ，２１ｄの離間寸法を微調整し、離間寸法を設計寸法に一致させる。
【０１２３】
次に、第１〜第４側壁２１ａ〜２１ｄの底部１２における外面に第１〜第４底部枠材１３ａ〜１３ｄを配置し、第１〜第４側壁２１ａ〜２１ｄに第１〜第４底部枠材１３ａ〜１３ｄを固定する（底部枠材設置工程）。第１〜第４側壁２１ａ〜２１ｄに第１〜第４底部枠材１３ａ〜１３ｄを固定すると、第１〜第４側壁２１ａ〜２１ｄと躯体３３との間の間隙が塞がれる。
【０１２４】
土台管１１ａの各側壁２１ａ〜２１ｄにそれら底部枠材１３ａ〜１３ｄを固定した後、内側スペース１７に新設鉄筋２０を配筋する。内側スペース１７に新設鉄筋２０を配筋した後、支持ボルト１９を設置する。スペーサ３７を第２頂部分４１ｂ（垂直部分４３）と第４頂部分４１ｄ（垂直部分４３）との間に架け渡し、それらスペーサ３７を第２頂部分４１ｂと第４頂部分４１ｄとに固定手段によって着脱可能に固定し、ボルト位置決め枠３８をそれらスペーサ３７の上に固定手段によって着脱可能に固定する（支持ボルト設置工程）。
【０１２５】
土台管１１ｃが据付箇所に固定され、底枠部材１３が土台管１１ｃに設置されるとともに、スペーサ３７と支持ボルト１９を挿通したボルト位置決め枠２８とが頂部分４１に設置された後、新設断熱材３６と新設防水材１６（シート防水）とを設置する。据付箇所における第１〜第４底枠部材１３ａ〜１３ｄの外側の既設断熱材３４を取り除いた部分に新設断熱材３６を配置し、新設防水材１６を土台管１１ｃの第１〜第４側壁２１ａ〜２１ｄの外面と第１〜第４底枠部材１３ａ〜１３ｄの外面とに設置する。さらに、新設防水材１６を第１〜第４底枠部材１３ａ〜１３ｄから径方向外方に延長して設置し、新設防水材１６によって第１〜第４底枠部材１３ａ〜１３ｄの周囲に設置された新設断熱材３６と第１〜第４底枠部材１３ａ〜１３ｄの周囲に位置する躯体３３とを被覆する（新設防水材設置工程）。
【０１２６】
新設断熱材３６と新設防水材１６（シート防水）とを設置した後、土台管１１ｃおよび枠材１３の内側スペース１７にコンクリート１８を打設する（セメント硬化物打設工程）。なお、内側スペース１７にコンクリート１８を打設した後、新設防水材１６（シート防水）と新設断熱材３６とを設置してもよい。
【０１２７】
内側スペース１７にコンクリート１８を打設する過程において、第１および第３側壁２１ａ，２１ｃにコンクリート１８の側圧が作用し、それら側壁２１ａ，２１ｃの離間寸法（第１側壁２１ａと第３側壁２１ｃとの間の寸法）が変化した場合（離間寸法が大きくなった場合）、第１幅止めボルト２９ａによって第１および第３側壁２１ａ，２１ｃを近接させる方向へ力を作用させ、第１幅止めボルト２９ａによって第１および第３側壁２１ａ，２１ｃの離間寸法を微調整し、離間寸法を設計寸法に一致させる。
【０１２８】
また、内側スペース１７にコンクリート１８を打設する過程において、第２および第４側壁２１ｂ，２１ｄにコンクリート１８の側圧が作用し、それら側壁２１ｂ，２１ｄの離間寸法（第２側壁２１ｂと第４側壁２１ｄとの間の寸法）が変化した場合（離間寸法が大きくなった場合）、第２幅止めボルト２９ｂによって第２および第４側壁２１ｂ，２１ｄを近接させる方向へ力を作用させ、第２幅止めボルト２９ｂによって第２および第４側壁２１ｂ，２１ｄの離間寸法を微調整し、離間寸法を設計寸法に一致させる。
【０１２９】
コンクリート１８を打設した後、コンクリート１８を所定期間養生する。コンクリート１８の養生期間が経過した後、ボルト位置決め枠３８をスペーサ３７から取り外して支持ボルト１９からボルト位置決め枠３８を抜き取り、スペーサ３７を頂部分４１から取り外す。次に、土台管１１ｃの頂部１４から上方へ露出するコンクリート１８の頂面と側面とに新設防水材（ウレタン防水）（図示せず）を設置する。さらに、第１〜第４側壁２１ａ〜２１ｄと第１〜第４底部枠材１３ａ〜１３ｄとの外側に化粧板４０を配置し、化粧板４０の上部をコンクリート１８に固定し、化粧板４０の下部を新設防水材１６に固定することで、図２０に示す基礎構造物１０Ｃが完成する。
【０１３０】
据付基礎構造物１０Ｃは、それが土台管１１ｃと底部枠材１３と新設防水材１６とコンクリート１８（セメント硬化物）とから形成され、土台管１１ｃや底部枠材１３が製造工場においてあらかじめ製造されて汎用部品化（規格化）されており、既設建造物の躯体３３の据付箇所においてユニットとして組み立てられるから、据付基礎構造物１０Ｃを据え付ける際にその現場において型枠を組み上げる必要や型枠を解体する必要はなく、据付箇所に土台管１１ｃを設置しつつ土台管１１ｃに底部枠材１３を設置し、内側スペース１７にコンクリート１８を打設するだけで据付基礎構造物１０Ｃを据え付けることができ、型枠の組立や型枠の解体にかかる手間や時間、コストを省くことができる。
【０１３１】
据付基礎構造物１０Ｃは、それの据付作業を簡略化することができるのみならず、コンクリート１８の養生期間を待つことなく新設防水材１６の設置作業が完了し、コンクリート１８の養生期間を待つことなく据付基礎構造物１０Ｃの据付作業が完了するから、据付基礎構造物１０Ｃの据付時間にコンクリート１８の養生期間が入らず、据付箇所に複数の据付基礎構造物１０Ｃを迅速に据え付けることができ、工期を大幅に短縮することができる。
【０１３２】
据付基礎構造物１０Ｃは、それの工期を大幅に短縮することができ、据付基礎構造物１０Ｃの構築にかかる人件費を大幅に低減することができるから、据付基礎構造物１０Ｃの据付にかかるコストを低下させることができ、据付基礎構造物１０Ｃを廉価に構築することができる。据付基礎構造物１０Ｃは、施工現場の据付箇所において型枠を組み上げる必要はなく、マニュアル化された手順に従ってそれを組み立てることができるから、型枠工の技術がない作業者でも据付基礎構造物１０Ｃを容易に構築することができる。
【０１３３】
据付基礎構造物１０Ｃは、底部分２３に形成されたボルト孔と躯体３３に形成されたボルト孔とに調整ボルト２４が設置され、調整ボルト２４によって土台管１１ｃが躯体３３に固定されるとともに、コンクリート１８の養生期間が経過した後に調整ボルト２４や長ナット２８ａ，２８ｂ、幅止めボルト２９ａ，２９ｂ、新設鉄筋２０がコンクリート１８と一体になり、据付基礎構造物１０Ｃにかかる荷重を調整ボルト２４ａ，２４ｂや長ナット２８ａ，２８ｂ、幅止めボルト２９ａ，２９ｂ、新設鉄筋２０、コンクリート１８で分担するから、既設建造物の躯体３３の所定の据付箇所に強固に据え付けることができ、ソーラーパネルやアンテナ、貯水槽、浄化槽、空調機器等の重量のある機械器具、鉄塔や鉄骨柱、鉄骨建設物等の重量のある建築物を確実に支持することができる。
【０１３４】
据付基礎構造物１０Ｃは、内側スペース１７に打設されたコンクリート１８の側圧が第１〜第４側壁２１ａ〜２１ｄに作用したとしても、土台管１１ｃに設置された第１および第２変形防止材２５ａ，２５ｂ（第１および第２長ナット２８ａ，２８ｂ、第１および第４幅止めボルト２９ａ，２９ｂ）がコンクリート１８の側圧による第１〜第４側壁２１ａ〜２１ｄの変形を防止するから、第１〜第４側壁２１ａ〜２１ｄが変形した形状が歪な据付基礎構造物が作られることはなく、据付箇所に構造計算（強度計算）された設計どおりの据付基礎構造物１０Ｃを構築することができる。
【０１３５】
据付基礎構造物１０Ｃは、内側スペース１７にコンクリート１８を打設する前に、第１幅止めボルト２９ａによって第１および第３側壁２１ａ，２１ｃの離間寸法が微調整され、第２幅止めボルト２９ｂによって第２および第４側壁２１ｂ，２１ｄの離間寸法が微調整されるから、第１および第３側壁２１ａ，２１ｃの離間寸法や第２および第４側壁２１ｂ，２１ｄの離間寸法が設計寸法と微妙に異なっていたとしても、それら側壁２１ａ〜２１ｄの離間寸法を設計寸法に一致させることができ、設計寸法どおりの据付基礎構造物を構築することができる。
【０１３６】
据付基礎構造物１０Ｃは、内側スペース１７にコンクリート１８を打設する過程において、第１〜第４側壁２１ａ〜２１ｄにコンクリート１８の側圧が作用し、それら側壁２１ａ〜２１ｄの離間寸法が変化したとしても、第１幅止めボルト２９ａによって第１および第３側壁２１ａ，２１ｃの離間寸法を微調整することができ、第２幅止めボルト２９ｂによって第２および第４側壁２１ｂ．２１ｄの離間寸法を微調整することができるから、それら側壁２１ａ〜２１ｄの離間寸法を設計寸法に一致させることができ、設計寸法どおりの据付基礎構造物１０Ｃを構築することができる。
【０１３７】
据付基礎構造物１０Ｃは、躯体３３に対する土台管１１ｃの高さおよび傾きを第１〜第４調整ボルト２４ａ〜２４ｄによって調整することができるから、据付箇所が傾斜していてとしても、据付箇所に対して土台管１１ｃを水平に設置することができるとともに、複数個の据付基礎構造物１０Ｃを設置する場合に、それら据付基礎構造物１０Ｃどうしの高さ寸法を容易に調節することができ、それら据付基礎構造物１０Ｃの高さ寸法を均一に揃えることができる。
【０１３８】
据付基礎構造物１０Ｃは、それが既設建造物の屋上に据え付けられた場合でも、底部枠材１３ａ〜１３ｄの周囲に位置する躯体３３が新設防水材１６に被覆されるから、土台管１１ｃや底部枠材１３、躯体３３への水の侵入を防ぐことができ、土台管１１ｃや底部枠材１３に水が進入することによる土台管１１ｃや底部枠材１３の腐食や強度低下を防ぐことができ、躯体３３に水が進入することによる躯体３３の劣化を防ぐことができる。
【符号の説明】
【０１３９】
１０Ａ  据付基礎構造物
１０Ｂ  据付基礎構造物
１０Ｃ  据付基礎構造物
１１ａ  土台管
１１ｂ  土台管
１１ｃ  土台管
１２    底部
１３    底部枠材
１３ａ  第１底部枠材
１３ｂ  第２底部枠材
１３ｃ  第３底部枠材
１３ｄ  第４底部枠材
１４    頂部
１５    頂部枠材
１５ａ  第１頂部枠材
１５ｂ  第２頂部枠材
１５ｃ  第３頂部枠材
１５ｄ  第４頂部枠材
１６    新設防水材
１７    内側スペース
１８    コンクリート（セメント硬化物）
１９    支持ボルト
２０    新設鉄筋
２１ａ  第１側壁
２１ｂ  第２側壁
２１ｃ  第３側壁
２１ｄ  第４側壁
２２    頂部分
２２ａ  第１頂部分
２２ｂ  第２頂部分
２２ｃ  第３頂部分
２２ｄ  第４頂部分
２３    底部分
２３ａ  第１底部分
２３ｂ  第２底部分
２３ｃ  第３底部分
２３ｄ  第４底部分
２４    調整ボルト
２４ａ  第１調整ボルト
２４ｂ  第２調整ボルト
２４ｃ  第３調整ボルト
２４ｄ  第４調整ボルト
２５    変形防止材
２５ａ  第１変形防止材
２５ｂ  第２変形防止材
２５ｃ  第３変形防止材
２５ｄ  第４変形防止材
２６    六角ナット
２７    中央部
２８ａ  第１長ナット
２８ｂ  第２長ナット
２８ｃ  第３長ナット
２８ｄ  第４長ナット
２９ａ  第１幅止めボルト
２９ｂ  第２幅止めボルト
２９ｃ  第３幅止めボルト
２９ｄ  第４幅止めボルト
３０    水平部分
３１    垂直部分
３２    折曲部分
３３    躯体
３４    既設断熱材
３５    既設防水材
３６    新設断熱材
３７    スペーサ
３８    ボルト位置決め枠（ボルト位置決め部材）
３９    シンダーコンクリート
４０    化粧板
４１    頂部分
４１ａ  第１頂部分
４１ｂ  第２頂部分
４１ｃ  第３頂部分
４１ｄ  第４頂部分
４２    水平部分
４３    垂直部分
【図１】
0005978445.tif 000002
【図２】
0005978445.tif 000003
【図３】
0005978445.tif 000004
【図４】
0005978445.tif 000005
【図５】
0005978445.tif 000006
【図６】
0005978445.tif 000007
【図７】
0005978445.tif 000008
【図８】
0005978445.tif 000009
【図９】
0005978445.tif 000010
【図１０】
0005978445.tif 000011
【図１１】
0005978445.tif 000012
【図１２】
0005978445.tif 000013
【図１３】
0005978445.tif 000014
【図１４】
0005978445.tif 000015
【図１５】
0005978445.tif 000016
【図１６】
0005978445.tif 000017
【図１７】
0005978445.tif 000018
【図１８】
0005978445.tif 000019
【図１９】
0005978445.tif 000020
【図２０】
0005978445.tif 000021
【図２１】
0005978445.tif 000022
【図２２】
0005978445.tif 000023
【図２３】
0005978445.tif 000024
【図２４】
0005978445.tif 000025
【図２５】
0005978445.tif 000026